(57)【特許請求の範囲】
【請求項１】
ケーシング（18,101）内に、室内熱交換器（22）と、室内から吸い込んだ空気を該室内側へ吹き出す室内ファン（21）と、該室内ファン（21）の吸込側に設けられるエアフィルタ（30）とを備えた空気調和装置の室内ユニットであって、
上記エアフィルタ（30）に捕捉された塵埃を除去するための塵埃除去手段（50）と、
上記塵埃除去手段（50）の一端側に接続され、該塵埃除去手段（50）の位置を、上記エアフィルタ（30）の塵埃を除去する塵埃除去位置と、該塵埃除去位置よりもエアフィルタ（30）外方側の待機位置とに切り換え可能なように、該塵埃除去手段（50）を回動可能に支持する回動支持手段（81,86）と、
上記ケーシング（18,101）内を上記室内ファン（21）の吸込側と吹出側とに区画する通風仕切板（23,24）とを備え、
上記回動支持手段（81,86）は、上記塵埃除去手段（50）を上記通風仕切板（23,24）に対して回動可能に支持するように構成され、
上記回動支持手段（81,86）は、上記塵埃除去手段（50）を待機位置まで回動させる間に該塵埃除去手段（50）を上記エアフィルタ（30）の下方へ離間させるように、回動に応じて下方へ移動可能に構成されていることを特徴とする空気調和装置の室内ユニット。
【請求項２】
請求項１において、
上記回動支持手段（81,86）は、上記通風仕切板（23,24）の下方に位置する吸込側仕切板（25）を貫通するように設けられていて、
上記回動支持手段（81,86）及び吸込側仕切板（25）には、上記塵埃除去手段（50）が塵埃除去位置にあるときには互いに上下に当接する一方、該塵埃除去手段（50）が待機位置にあるときには互いに当接しないような位置に、突出部（86i,25b）が設けられていることを特徴とする空気調和装置の室内ユニット。
【請求項３】
請求項２において、
上記突出部（86i,25b）は、それぞれ、上記回動支持手段（81,86）の回動方向に延びる突条に形成されているとともに、上記塵埃除去手段（50）が待機位置にあるときに互いに対向する側の端部が、該突出部（86i,25b）の延設方向の先端に向かうほど突出高さが低くなるように傾斜していることを特徴とする空気調和装置の室内ユニット。
【請求項４】
請求項１において、
上記回動支持手段（81,86）を駆動するための駆動手段（95）をさらに備えていることを特徴とする空気調和装置の室内ユニット。
【請求項５】
請求項４において、
上記駆動手段（95）は、エアフィルタ脱着時には上記塵埃除去手段（50）を待機位置に位置付ける一方、塵埃除去時には該塵埃除去手段（50）を塵埃除去位置に位置付けるように、上記回動支持手段（81,86）を駆動するよう構成されていることを特徴とする空気調和装置の室内ユニット。
【請求項６】
請求項１から５のいずれか一つにおいて、
上記塵埃除去手段（50）によって除去された塵埃を捕集するための塵埃捕集手段（90）と、
上記塵埃除去手段（50）で除去された塵埃を上記塵埃捕集手段（90）に搬送するための塵埃搬送手段（80）と、をさらに備えていることを特徴とする空気調和装置の室内ユニット。
【請求項７】
請求項６において、
上記塵埃除去手段（50）は、上記エアフィルタ（30）の塵埃を除去する塵埃除去部（51,52,61）と、該塵埃除去部（51,52,61）で除去された塵埃を貯留する貯留部（62）と、を備え、
上記塵埃搬送手段（80）は、上記室内ファン（21）の吹出空気を利用して上記塵埃を上記塵埃捕集手段（90）に搬送するように構成されていて、
上記回動支持手段（81,86）には、上記塵埃搬送手段（80）の一部を構成するように、内部に通風路（89）が形成されており、
上記塵埃除去手段（50）の貯留部（62）は、上記塵埃搬送手段（80）の一部を構成するように、上記回動支持手段（86）内の通風路（89）を介して上記室内ファン（21）の吹出側に連通していることを特徴とする空気調和装置の室内ユニット。
【請求項８】
請求項７において、
上記回動支持手段（81,86）は、上記通風路（89）の一部を構成する導入用ダクト（86）を備えていて、
上記導入用ダクト（86）は、円筒状であり、
上記塵埃除去手段（50）は、上記導入用ダクト（86）を中心として回動するように構成されていることを特徴とする空気調和装置の室内ユニット。
【請求項９】
請求項８において、
上記ケーシング（18,101）内には、上記通風仕切板（23,24）と、該通風仕切板（23,24）の下方に位置する吸込側仕切板（25）とが設けられていて、
上記導入用ダクト（86）は、上記通風仕切板（23,24）と吸込側仕切板（25）との間に位置する上流側ダクト（86a）と、該吸込側仕切板（25）の下方に位置する下流側ダクト（86b）とが、該吸込側仕切板（25）の開口周縁部を挟み込むように連結されてなることを特徴とする空気調和装置の室内ユニット。
【請求項１０】
請求項１から９のいずれか一つにおいて、
上記エアフィルタ（30）は、平面視で円形状であり、
上記塵埃除去手段（50）は、その他端側が上記エアフィルタ（30）の中央部（33）に接続されていることを特徴とする空気調和装置の室内ユニット。
【請求項１１】
請求項１０において、
上記塵埃除去手段（50）は、他端側の上記エアフィルタ（30）の中央部（33）との接続を解除した状態で、一端側に接続された回動支持手段（81,86）を中心として上記待機位置まで回動可能に構成されていることを特徴とする空気調和装置の室内ユニット。
【請求項１２】
請求項１１において、
上記塵埃除去手段（50）の他端側は、上記室内ファン（21）の吸込側に配置された吸込側仕切板（25）との間に、上記エアフィルタ（30）の中央部（33）を挟み込んだ状態で、該吸込側仕切板（25）に固定されていることを特徴とする空気調和装置の室内ユニット。
【請求項１３】
請求項１２において、
上記吸込側仕切板（25）の下面には、下方に突出する回転軸部（28）が設けられていて、
上記エアフィルタ（30）の中央部（33）には、上記回転軸部（28）が挿通可能な挿通孔（33a）が形成されており、
上記塵埃除去手段（50）の他端側には、上記エアフィルタ（30）の挿通孔（33a）を上記吸込側仕切板（25）の回転軸部（28）が挿通した状態で係止部材（28a）により該回転軸部（28）と連結される、フィルタ取付部（68）が設けられていることを特徴とする空気調和装置の室内ユニット。
【請求項１４】
請求項１３において、
上記係止部材（28a）は、上記回転軸部（28）に係合する軸部（28c）と、該軸部（28c）の一端側に該軸部（28c）よりも大径に形成された頭部（28b）と、を有していて、
上記フィルタ取付部（68）には、上記係止部材（28a）の軸部（28c）の先端部を上記回転軸部（28）に係合させた状態で、該フィルタ取付部（68）が回転軸部（28）の下方位置から水平方向に向かって離脱可能なように、上記塵埃除去手段（50）の回動方向に延びるスリット部（68a）が形成されていることを特徴とする空気調和装置の室内ユニット。
【請求項１５】
請求項１４において、
上記係止部材（28a）は、頭部（28b）が上記エアフィルタ（30）の挿通孔（33a）の直径よりも小さく且つ上記スリット部（68a）の幅よりも大きいことを特徴とする空気調和装置の室内ユニット。
【発明の詳細な説明】
【技術分野】
【０００１】
本発明は、エアフィルタに捕捉された塵埃を除去するように構成された空気調和装置の室内ユニットに関する。
【背景技術】
【０００２】
従来より、空気の吸込口にエアフィルタを備えた空気調和装置の室内ユニットにおいて、該エアフィルタに捕捉された塵埃を除去するための塵埃除去手段を備えたものが知られている。この種の室内ユニットとしては、例えば特許文献１などに開示されるように、エアフィルタに付着した塵埃を塵埃除去手段としての吸引ノズルで吸引するように構成されたものや、塵埃除去手段としてのブラシ部によって塵埃を掻き落とすように構成されたものなどが知られている。
【０００３】
上述の構成では、いずれの場合も、箱状のケーシング内に熱交換器や室内ファン等の構成機器が配設されているとともに、該室内ファンの吸込口にはエアフィルタや塵埃除去手段等が配設されている。なお、上記ケーシングの室内側は、室内パネルによって覆われている。
【特許文献１】特開２００５−８３６１２号公報
【発明の開示】
【発明が解決しようとする課題】
【０００４】
ところで、上記従来例のように、エアフィルタに付着した塵埃を除去する塵埃除去手段を備えた構成では、該エアフィルタに付着した塵埃を除去できるように、該塵埃除去手段を平面視でエアフィルタと重なる位置に配置する必要があるが、メンテナンスの際に該エアフィルタを取り外す場合などには、上記塵埃除去手段にエアフィルタが引っ掛かって、該エアフィルタを取り外しにくいという問題があった。
【０００５】
本発明は、斯かる点に鑑みてなされたものであり、その目的とするところは、室内ファンの吸込側にエアフィルタが設けられた空気調和装置の室内ユニットにおいて、塵埃除去手段と干渉することなくエアフィルタを容易に脱着できるような構成を得ることにある。
【課題を解決するための手段】
【０００６】
上記目的を達成するために、本発明に係る空気調和装置（1）の室内ユニット（3）では、エアフィルタ（30）の捕捉された塵埃を除去する塵埃除去手段（50）を、回動支持手段（81,86）によって回動可能にすることで、上記塵埃除去手段（50）をエアフィルタ（30）との干渉を避けられる位置に容易に移動できるようにした。
【０００７】
具体的には、第１の発明では、ケーシング（18,101）内に、室内熱交換器（22）と、室内から吸い込んだ空気を該室内側へ吹き出す室内ファン（21）と、該室内ファン（21）の吸込側に設けられるエアフィルタ（30）とを備えた空気調和装置の室内ユニットを対象とする。
【０００８】
そして、上記エアフィルタ（30）に捕捉された塵埃を除去するための塵埃除去手段（50）と、上記塵埃除去手段（50）の一端側に接続され、該塵埃除去手段（50）の位置を、上記エアフィルタ（30）の塵埃を除去する塵埃除去位置と、該塵埃除去位置よりもエアフィルタ（30）外方側の待機位置とに切り換え可能なように、該塵埃除去手段（50）を回動可能に支持する回動支持手段（81,86）と、上記ケーシング（18,101）内を上記室内ファン（21）の吸込側と吹出側とに区画する通風仕切板（23,24）とを備え、上記回動支持手段（81,86）は、上記塵埃除去手段（50）を上記通風仕切板（23,24）に対して回動可能に支持するように構成され、上記回動支持手段（81,86）は、上記塵埃除去手段（50）を待機位置まで回動させる間に該塵埃除去手段（50）を上記エアフィルタ（30）の下方へ離間させるように、回動に応じて下方へ移動可能に構成されているものとする。
【０００９】
この構成により、塵埃除去手段（50）をその一端側に接続される回動支持手段（81,86）によって回動させることができ、該塵埃除去手段（50）を、エアフィルタ（30）から塵埃を除去する塵埃除去位置と、該塵埃除去位置よりもエアフィルタ（30）外方側の待機位置とに容易に切り換えることができる。これにより、エアフィルタ（30）を取り外す際に該エアフィルタ（30）が塵埃除去手段（50）と干渉するのを防止することができ、該エアフィルタ（30）を容易に取り外すことができる。
【００１０】
しかも、上述のように、上記塵埃除去手段（50）を回動可能に構成することで、エアフィルタ（30）を取り外す際に、該塵埃除去手段（50）も取り外す必要がなくなり、メンテナンス時の作業性の向上を図れる。
【００１１】
また、上記構成により、塵埃除去手段（50）をケーシング（18,101）内の通風仕切板（23,24）に支持させた状態のまま、エアフィルタ（30）を取り外すことが可能となり、メンテナンス時の作業性の向上を図れる。
【００１２】
また、上記構成により、塵埃除去手段（50）の上記待機位置が、平面視でエアフィルタ（30）に対して塵埃除去手段（50）の一部が重なるような位置の場合でも、回動支持手段（81,86）の回動によって該塵埃除去手段（50）をエアフィルタ（30）の下方に離間させることができ、上記エアフィルタ（30）を脱着する際に、該エアフィルタ（30）が塵埃除去手段（50）と干渉するのを防止できる。
【００１３】
また、上記回動支持手段（81,86）は、上記通風仕切板（23,24）の下方に位置する吸込側仕切板（25）を貫通するように設けられていて、上記回動支持手段（81,86）及び吸込側仕切板（25）には、上記塵埃除去手段（50）が塵埃除去位置にあるときには互いに上下に当接する一方、該塵埃除去手段（50）が待機位置にあるときには互いに当接しないような位置に、突出部（86i,25b）が設けられているのが好ましい（第２の発明）。
【００１４】
これにより、回動支持手段（81,86）を回動させることで、塵埃除去手段（50）をエアフィルタ（30）に対して上下動させることができる。すなわち、上記塵埃除去手段（50）が塵埃除去位置に位置していて、上記回動支持手段（81,86）の突出部（86i）と吸込側仕切板（25）の突出部（25b）とが互いに上下に当接した状態では、その分、該吸込側仕切板（25）に対して回動支持手段（81,86）を持ち上げることができ、該回動支持手段（81,86）に接続された塵埃除去手段（50）を持ち上げてエアフィルタ（30）に密着させることができる。一方、上記塵埃除去手段（50）が待機位置に位置していて、上記回動支持手段（81,86）の突出部（86i）と吸込側仕切板（25）の突出部（25b）とが当接していない状態では、該吸込側仕切板（25）に対して回動支持手段（81,86）が近づくため、上記塵埃除去手段（50）も上述の塵埃除去位置よりも下方に位置付けられる。これにより、上記エアフィルタ（30）を取り外す際に、該エアフィルタ（30）が上記塵埃除去手段（50）と干渉するのを防止することができる。
【００１５】
また、上記突出部（86i,25b）は、それぞれ、上記回動支持手段（81,86）の回動方向に延びる突条に形成されているとともに、上記塵埃除去手段（50）が待機位置にあるときに互いに対向する側の端部が、該突出部（86i,25b）の延設方向の先端に向かうほど突出高さが低くなるように傾斜しているのが好ましい（第３の発明）。
【００１６】
これにより、回動支持手段（81,86）を回動させて、該回動支持手段（81,86）及び吸込側仕切板（25）にそれぞれ形成された突出部（86i,25b）を当接状態にしたり当接状態から離間状態にしたりする場合に、該突出部（86i,25b）同士をスムーズに当接・離間させることができる。
【００１７】
また、上記回動支持手段（81,86）を駆動するための駆動手段（95）をさらに備えているのが好ましい（第４の発明）。特に、上記駆動手段（95）は、エアフィルタ脱着時には上記塵埃除去手段（50）を待機位置に位置付ける一方、塵埃除去時には該塵埃除去手段（50）を塵埃除去位置に位置付けるように、上記回動支持手段（81,86）を駆動するよう構成されているものとする（第５の発明）。
【００１８】
これにより、駆動手段（95）によって塵埃除去手段（50）を回動させることができるとともに、該塵埃除去手段（50）を、塵埃除去時には塵埃除去位置に位置付ける一方、エアフィルタ（30）の脱着時には待機位置に位置付けることができるため、エアフィルタ（30）の脱着時に該塵埃除去手段（50）を別途、手動で移動させることなく、該エアフィルタ（30）を容易に脱着することが可能となる。
【００１９】
また、上記塵埃除去手段（50）によって除去された塵埃を捕集するための塵埃捕集手段（90）と、上記塵埃除去手段（50）で除去された塵埃を上記塵埃捕集手段（90）に搬送するための塵埃搬送手段（80）と、をさらに備えているのが好ましい（第６の発明）。
【００２０】
こうすることで、塵埃除去手段（50）によってエアフィルタ（30）から除去された塵埃を、塵埃搬送手段（80）によって搬送して、塵埃捕集手段（90）内に捕集できるため、塵埃回収の頻度を低減することができ、メンテナンス作業を軽減することができる。
【００２１】
また、上記塵埃除去手段（50）は、上記エアフィルタ（30）の塵埃を除去する塵埃除去部（51,52,61）と、該塵埃除去部（51,52,61）で除去された塵埃を貯留する貯留部（62）と、を備え、上記塵埃搬送手段（80）は、上記室内ファン（21）の吹出空気を利用して上記塵埃を上記塵埃捕集手段（90）に搬送するように構成されていて、上記回動支持手段（81,86）には、上記塵埃搬送手段（80）の一部を構成するように、内部に通風路（89）が形成されており、上記塵埃除去手段（50）の貯留部（62）は、上記塵埃搬送手段（80）の一部を構成するように、上記回動支持手段（86）内の通風路（89）を介して上記室内ファン（21）の吹出側に連通しているのが好ましい（第７の発明）。
【００２２】
このように、塵埃除去手段（50）に塵埃除去部（51,52,61）と貯留部（62）とを設け、該貯留部（62）を塵埃搬送手段（80）の一部とすることで、該塵埃除去部（51,52,61）で除去された塵埃を貯留部（62）に一旦集めて、塵埃を塵埃搬送手段（80）によって効率良く塵埃捕集手段（90）内へ搬送することができる。すなわち、回動支持手段（81,86）の内部に塵埃搬送手段（88）の一部を構成する通風路（89）を形成し、該通風路（89）を介して上記貯留部（62）を室内ファン（21）の吹出側に連通させることで、該塵埃除去手段（50）の貯留部（62）が、室内ファン（21）の吹出空気を利用して塵埃を搬送する塵埃搬送手段（80）の一部を構成する。これにより、上記貯留部（62）内の塵埃を塵埃捕集手段（90）に効率良く搬送することができ、該塵埃捕集手段（90）内に塵埃を確実に捕集することができる。
【００２３】
また、上記回動支持手段（81,86）は、上記通風路（89）の一部を構成する導入用ダクト（86）を備えていて、上記導入用ダクト（86）は、円筒状であり、上記塵埃除去手段（50）は、上記導入用ダクト（86）を中心として回動するように構成されているものとする（第８の発明）。
【００２４】
これにより、室内ファン（21）の吹出空気を利用して、塵埃除去手段（50）内の塵埃を塵埃捕集手段（90）に搬送しつつ、該塵埃除去手段（50）を回動させることができる。すなわち、上述の構成により、塵埃捕集手段（90）への塵埃の捕集によるメンテナンス作業の軽減と、エアフィルタ（30）の脱着作業時における作業効率の向上との両立を図ることができる。
【００２５】
また、上記ケーシング（18,101）内には、該ケーシング（18,101）内を室内ファン（21）の吸込側と吹出側とに区画する通風仕切板（23,24）と、該通風仕切板（23,24）の下方に位置する吸込側仕切板（25）とが設けられていて、上記導入用ダクト（86）は、上記通風仕切板（23,24）と吸込側仕切板（25）との間に位置する上流側ダクト（86a）と、該吸込側仕切板（25）の下方に位置する下流側ダクト（86b）とが、該吸込側仕切板（25）の開口周縁部を挟み込むように連結されてなるものとする（第９の発明）。
【００２６】
このように、回動支持手段（81,86）の導入用ダクト（86）を２つの部材（86a,86b）によって構成し、それらの部材を吸込側仕切板（25）の開口周縁部を挟み込むように連結することで、該導入用ダクト（86）が吸込側仕切板（25）を挿通した状態で該吸込側仕切板（25）に対して回動可能となる。これにより、上記導入用ダクト（86）によって室内ファン（21）の吹出空気を塵埃除去手段（50）の貯留部（62）に導入して塵埃を塵埃捕集手段（90）まで搬送することが可能になるとともに、上記導入用ダクト（86）を吸込側仕切板（25）に対して回動可能にすることで、メンテナンス時に塵埃除去手段（50）を回動させてエアフィルタ（30）を該塵埃除去手段（50）と干渉することなく取り外すことも可能になる。
【００２７】
以上の構成において、上記エアフィルタ（30）は、平面視で円形状であり、上記塵埃除去手段（50）は、その他端側が上記エアフィルタ（30）の中央部（33）に接続されているのが好ましい（第１０の発明）。
【００２８】
こうすることで、塵埃除去手段（50）を円形状のエアフィルタ（30）に対して径方向に延びるように配置することができ、該塵埃除去手段（50）及びエアフィルタ（30）を相対回転させることで、該塵埃除去手段（50）によってエアフィルタ（30）に捕捉された塵埃を効率良く除去することができる。そして、上記エアフィルタ（30）を取り外す際には、上記第１の発明のように、上記塵埃除去手段（50）を回動させることで、平面視で該エアフィルタ（30）の外方位置まで塵埃除去手段（50）を移動させることができ、上記エアフィルタ（30）が該塵埃除去手段（50）と干渉するのを防止できる。
【００２９】
また、上記塵埃除去手段（50）は、他端側の上記エアフィルタ（30）の中央部（33）との接続を解除した状態で、一端側に接続された回動支持手段（81,86）を中心として上記待機位置まで回動可能に構成されているものとする（第１１の発明）。
【００３０】
このような構成にすることで、上記塵埃除去手段（50）を一端側を中心として容易に回動させることができ、エアフィルタ（30）の脱着作業がより容易になる。
【００３１】
また、上記塵埃除去手段（50）の他端側は、上記室内ファン（21）の吸込側に配置された吸込側仕切板（25）との間に、上記エアフィルタ（30）の中央部（33）を挟み込んだ状態で、該吸込側仕切板（25）に固定されているのが好ましい（第１２の発明）。
【００３２】
これにより、吸込側仕切板（25）に対して、エアフィルタ（30）及び塵埃除去手段（50）の他端側をまとめて固定することができるため、その固定部分を解除すれば、塵埃除去手段（50）の回動が可能になるとともにエアフィルタ（30）の取り外しも可能になり、メンテナンス時の作業性の向上を図れる。
【００３３】
また、上記吸込側仕切板（25）の下面には、下方に突出する回転軸部（28）が設けられていて、上記エアフィルタ（30）の中央部（33）には、上記回転軸部（28）が挿通可能な挿通孔（33a）が形成されており、上記塵埃除去手段（50）の他端側には、上記エアフィルタ（30）の挿通孔（33a）を上記吸込側仕切板（25）の回転軸部（28）が挿通した状態で係止部材（28a）により該回転軸部（28）と連結される、フィルタ取付部（68）が設けられているのが好ましい（第１３の発明）。
【００３４】
これにより、エアフィルタ（30）を回転可能な状態で、吸込側仕切板（25）と塵埃除去手段（50）との間に挟持することができる。したがって、上記エアフィルタ（30）及び塵埃除去手段（50）を相対回転可能な構成を実現できるとともに、該エアフィルタ（30）及び塵埃除去手段（50）をまとめて吸込側仕切板（25）に固定することができ、メンテナンス時にこの固定部分を解除することで、塵埃除去手段（50）の回動及びエアフィルタ（30）の取り外しを行うことが可能になる。
【００３５】
また、上記係止部材（28a）は、上記回転軸部（28）に係合する軸部（28c）と、該軸部（28c）の一端側に該軸部（28c）よりも大径に形成された頭部（28b）と、を有していて、上記フィルタ取付部（68）には、上記係止部材（28a）の軸部（28c）の先端部を上記回転軸部（28）に係合させた状態で、該フィルタ取付部（68）が回転軸部（28）の下方位置から水平方向に向かって離脱可能なように、上記塵埃除去手段（50）の回動方向に延びるスリット部（68a）が形成されているのが好ましい（第１４の発明）。
【００３６】
こうすることで、係止部材（28a）を吸込側仕切板（25）の回転軸部（28）から取り外すことなく、その係合を緩めるだけで、フィルタ取付部（68）を係止部材（28a）及び回転軸部（28）から水平方向へ離脱させることができる。すなわち、上記フィルタ取付部（68）には、塵埃除去手段（50）の回動方向に延びるスリット部（68a）が形成されているため、上記係止部材（28a）の係合を緩めた状態で上記塵埃除去手段（50）を回動させれば、該係止部材（28a）の軸部（28c）に対して上記フィルタ取付部（68）を水平方向にスライドさせて、該フィルタ取付部（68）を上記回転軸部（28）の下方位置から水平方向に離脱させることができる。これにより、上記係止部材（28a）を取り外すことなく、上記塵埃除去手段（50）を回動させることができる。
【００３７】
特に、上記係止部材（28a）は、頭部（28b）が上記エアフィルタ（30）の挿通孔（33a）の直径よりも小さく且つ上記スリット部（68a）の幅よりも大きいのが好ましい（第１５の発明）。
【００３８】
これにより、係止部材（28a）を吸込側仕切板（25）の回転軸部（28）から取り外すことなく、エアフィルタ（30）を取り外すことが可能となる。すなわち、上記係止部材（28a）の頭部（28b）は、上記エアフィルタ（30）の中央部（33）の挿通孔（33a）よりも小径なので、該頭部（28b）が挿通孔（33a）を通過することができ、上記係止部材（28a）を取り外すことなく、エアフィルタ（30）を取り外すことができる。一方、上記係止部材
（28a）の頭部（28b）は、フィルタ取付部（68）のスリット部（68a）の幅よりも大きいので、該係止部材（28a）によってフィルタ取付部（68）を上記回転軸部（28）に係止することができる。
【発明の効果】
【００３９】
以上のように、本発明によれば、エアフィルタ（30）に捕捉された塵埃を除去するための塵埃除去手段（50）を、該エアフィルタ（30）から塵埃を除去する塵埃除去位置と、該塵埃除去位置よりもエアフィルタ（30）外方側の待機位置とに移動可能なように、該塵埃除去手段（50）を回動可能に支持する回動支持手段（81,86）を設けたため、エアフィルタ（30）を取り外す際に、塵埃除去手段（50）をエアフィルタ（30）の取り外しやすい位置まで容易に移動させることができ、メンテナンス作業時の作業性の向上を図れる。
【００４０】
また、本発明によれば、上記塵埃除去手段（50）は、室内ファン（21）の吸込側と吹出側とを区画する通風仕切板（23,24）に対し、回動支持手段（81,86）によって回動可能に支持されているため、上記構成を実現することができる。
【００４１】
また、本発明によれば、上記回動支持手段（81,86）は、上記塵埃除去手段（50）を待機位置まで回動させる間に、該塵埃除去手段（50）をエアフィルタ（30）に対して離間させるように下方へ移動可能に構成されているため、該塵埃除去手段（50）の待機位置が平面視で上記エアフィルタ（30）と重なるような位置であっても、上記回動支持手段（81,86）の回動によって上記塵埃除去手段（50）をエアフィルタ（30）の下方に離間させて、該エアフィルタ（30）を塵埃除去手段（50）と干渉することなく取り外すことが可能になる。よって、上記エアフィルタ（30）のメンテナンスを行う際の作業性の向上を図れる。
【００４２】
また、第２の発明によれば、上記回動支持手段（81,86）及び該回動支持手段（81,86）の貫通する吸込側仕切板（25）には、それぞれ、塵埃除去手段（50）の位置が塵埃除去位置のときに互いに上下に当接する一方、該塵埃除去手段（50）の位置が待機位置のときには互いに当接しないような位置に、突出部（86i,25b）が設けられているため、上記第１の発明の構成を容易に実現することができる。
【００４３】
また、第３の発明によれば、上記突出部（86i,25b）は、上記回動支持手段（81,86）の回動方向に延びる突条の両端部のうち、上記塵埃除去手段（50）の位置が待機位置であるときに互いに対向する端部が、延設方向の先端に向かうほど突出高さが低くなるように構成されているため、上記回動支持手段（81,86）及び吸込側仕切板（25）の突出部（86i,25b）同士が当接したり離間したりする際に、スムーズに当接・離間することができ、上記塵埃除去手段（50）をスムーズに上下動させることができる。
【００４４】
また、第４の発明によれば、上記回動支持手段（81,86）は駆動手段（95）によって駆動するように構成されているため、該回動支持手段（81,86）を手動ではなくて、駆動手段（95）によって駆動させることができる。特に、第５の発明によれば、上記駆動手段（95）は、上記塵埃除去手段（50）を、エアフィルタ脱着時には待機位置に位置付ける一方、塵埃除去時には塵埃除去位置に位置付けるように構成されているため、エアフィルタ（30）を容易に脱着できる。
【００４５】
また、第６の発明によれば、上記塵埃除去手段（50）によって除去された塵埃を捕集するための塵埃捕集手段（90）と、該塵埃除去手段（50）で除去された塵埃を塵埃捕集手段（90）に搬送するための塵埃搬送手段（80）とを備えているため、塵埃回収の頻度を低減することができ、メンテナンス作業を軽減することができる。
【００４６】
また、第７の発明によれば、上記塵埃除去手段（50）は、塵埃除去部（51,52,61）と貯留部（62）とを備えていて、該貯留部（62）は、上記回動支持手段（81,86）内に形成された通風路（89）を介して室内ファン（21）の吹出側に連通しているため、上記貯留部（62）及び通風路（89）は、室内ファン（21）の吹出空気を利用して塵埃を搬送する塵埃搬送手段（80）の一部を構成して、該貯留部（62）内の塵埃を塵埃捕集手段（90）に確実に搬送することができ、該塵埃捕集手段（90）での塵埃捕集の効率を高めることができる。
【００４７】
また、第８の発明によれば、上記回動支持手段（81,86）は、上記通風路（89）の一部を構成する円筒状の導入用ダクト（86）を備えていて、上記塵埃除去手段（50）は、上記導入用ダクト（86）を中心として回動可能に構成されているため、塵埃回収作業の軽減とエアフィルタ脱着作業の作業性向上との両立を図れる。
【００４８】
また、第９の発明によれば、上記導入用ダクト（86）は、上記通風仕切板（23,24）とその下方に位置する吸込側仕切板（25）との間に位置する上流側ダクト（86a）と、該第２仕切板（25）の下方に位置する下流側ダクト（86b）と、を該吸込側仕切板（25）の開口周縁部を挟み込むように連結してなるため、上記導入用ダクト（86）を吸込側仕切板（25）に対して回動可能に挿通させることができ、回動可能な塵埃除去手段（50）の構成を実現することができる。すなわち、上述の構成にすることで、室内ファン（21）の吹出空気によって塵埃を搬送する塵埃搬送手段（80）を構成できるとともに、塵埃除去手段（50）が回動可能な構成を実現することができる。よって、上述のような構成にすることで、塵埃捕集手段（90）での塵埃の捕集効率を向上しつつ、メンテナンス作業の作業性の向上も図れる。
【００４９】
また、第１０の発明によれば、エアフィルタ（30）が円形状の場合、上記塵埃除去手段（50）は、その他端側が該エアフィルタ（30）の中央部（33）に接続されているため、該塵埃除去手段（50）を円形状のエアフィルタ（30）の径方向に配置することができ、該塵埃除去手段（50）及びエアフィルタ（30）を相対的に回転させることで、該エアフィルタ（30）に付着した塵埃を効率良く除去することができる。
【００５０】
また、第１１の発明によれば、上記塵埃除去手段（50）は、他端側の上記エアフィルタ（30）の中央部（33）との接続を解除した状態で、一端側に接続された回動支持手段（81,86）を中心として上記待機位置まで回動可能に構成されているため、エアフィルタ（30）の脱着作業をより容易に行うことができる。
【００５１】
また、第１２の発明によれば、上記塵埃除去手段（50）は、上記エアフィルタ（30）を吸込側仕切板（25）との間に挟み込んだ状態で該吸込側仕切板（25）に固定されるため、該塵埃除去手段（50）及びエアフィルタ（30）の脱着を容易に行うことができ、メンテナンス時の作業性の向上を図れる。
【００５２】
また、第１３の発明によれば、上記塵埃除去手段（50）の他端側には、エアフィルタ（30）の挿通孔（33a）を吸込側仕切板（25）の回転軸部（28）が挿通した状態で、下方から係止部材（28a）によって該回転軸部（28）に係止される、フィルタ取付部（68）が設けられているため、回転可能なエアフィルタ（30）の構成を実現できるとともに、該エアフィルタ（30）と塵埃除去手段（50）とがまとめて固定されるため、メンテナンス作業の作業性の向上を図れる。
【００５３】
また、第１４の発明によれば、上記フィルタ取付部（68）には、係止部材（28a）の軸部（28c）の先端を回転軸部（28）に係合させた状態で該フィルタ取付部（68）を該回転軸部（28）の下方から水平方向に離脱可能なように、上記塵埃除去手段（50）の回動方向に延びるスリット部（68a）が形成されているため、上記係止部材（28a）を取り外すことなく塵埃除去手段（50）を回動させることができ、メンテナンス時の作業性をより向上させることができる。
【００５４】
さらに、第１５の発明によれば、上記係止部材（28a）の頭部（28b）は、エアフィルタ（30）の挿通孔よりも小径で且つ上記スリット部（68a）の幅よりも大きく形成されているため、上記係止部材（28a）を取り外すことなくエアフィルタ（30）を取り外すことができ、メンテナンス時の作業性のさらなる向上を図ることができる。
【発明を実施するための最良の形態】
【００５５】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００５６】
本実施形態は、本発明に係る室内ユニット（3）を備えた空気調和装置（1）に関する。この空気調和装置（1）では、室内ユニット（3）が室内空間の天井に設置される。なお、以下では、まず本実施形態に係る空気調和装置（1）の構成について説明し、次に室内ユニット（3）の構成について説明する。
【００５７】
〈全体構成〉
図１に示すように、上記空気調和装置（1）は、室外ユニット（2）と室内ユニット（3）とを備えている。室外ユニット（2）には、圧縮機（4）、室外熱交換器（5）、膨張弁（6）、四路切換弁（7）および室外ファン（8）が設けられている。室内ユニット（3）には、室内熱交換器（22）および室内ファン（21）が設けられている。
【００５８】
上記室外ユニット（2）において、圧縮機（4）の吐出側は、四路切換弁（7）の第１ポート（P1）に接続されている。圧縮機（4）の吸入側は、四路切換弁（7）の第３ポート（P3）に接続されている。
【００５９】
上記室外熱交換器（5）は、クロスフィン式のフィン・アンド・チューブ型熱交換器として構成されている。室外熱交換器（5）の一端は、四路切換弁（7）の第４ポート（P4）に接続されている。室外熱交換器（5）の他端は、液側閉鎖弁（9a）に接続されている。
【００６０】
上記室外ファン（8）は、室外熱交換器（5）の近傍に設けられている。この室外熱交換器（5）では、室外ファン（8）によって送られる室外空気と該熱交換器（5）内を流通する冷媒との間で熱交換が行われる。室外熱交換器（5）と液側閉鎖弁（9a）との間には、開度可変の膨張弁（6）が設けられている。また、四路切換弁（7）の第２ポート（P2）はガス側閉鎖弁（9b）に接続されている。
【００６１】
上記四路切換弁（7）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００６２】
この空気調和装置（1）では、四路切換弁（7）が第１状態の場合、暖房運転が行われ、四路切換弁（7）が第２状態の場合、冷房運転が行われる。暖房運転では、図１に示す冷媒回路において、室外熱交換器（5）が蒸発器として機能し且つ室内熱交換器（22）が凝縮器として機能する蒸気圧縮式冷凍サイクルが行われる。一方、冷房運転では、図１に示す冷媒回路において、室外熱交換器（5）が凝縮器として機能し且つ室内熱交換器（22）が蒸発器として機能する蒸気圧縮式冷凍サイクルが行われる。
【００６３】
〈室内ユニットの構成〉
以下で、上記室内ユニット（3）の構成を図２から図４に基づいて詳しく説明する。
【００６４】
図２及び図３に示すように、上記室内ユニット（3）は、上記室内ファン（21）や室内熱交換器（22）を備えた本体ユニット（10）と、該本体ユニット（10）の室内側に配置された掃除ユニット（100）と、該掃除ユニット（100）の室内側を覆う化粧パネル（11）とを備えている。すなわち、上記室内ユニット（3）は、上記図３に示すように、上から順に、上記本体ユニット（10）、掃除ユニット（100）及び化粧パネル（11）が積層されてなる。
【００６５】
上記本体ユニット（10）は、室内に向かって開口するように設置される箱状の本体ケーシング（18）を備えていて、この本体ケーシング（18）内には、室内ファン（21）、室内熱交換器（22）、ドレンパン（23）、ベルマウス（24）及び電装品箱（20）が配設されている。なお、本実施形態では、上記ドレンパン（23）の一部及びベルマウス（24）の一部によって、上記本体ユニット（10）の本体ケーシング（18）の下側を覆う通風仕切板が構成される。
【００６６】
上記本体ケーシング（18）の内面には、断熱材（17）が積層されている。また、上記本体ケーシング（18）は、後述のとおり、その開口側が室内側に位置付けられるように、天井裏の天井面から吊り支持されている。
【００６７】
上記室内ファン（21）は、いわゆるターボファンである。図２に示すように、室内ファン（21）は、本体ユニット（10）の本体ケーシング（18）の中央付近に配置され、後述する化粧パネル（11）の吸込口（13）の上側に位置している。上記室内ファン（21）は、ファンモータ（21a）と羽根車（21b）とを備えている。ファンモータ（21a）は、本体ケーシング（18）の天板に固定されている。羽根車（21b）は、ファンモータ（21a）の回転軸に連結されている。
【００６８】
上記室内ファン（21）の下側には、上記吸込口（13）に連通するようにベルマウス（24）が設けられている。このベルマウス（24）は、上記図２に示すように、室内ユニット（3）内において、室内熱交換器（22）の上流側の空間を室内ファン（21）側（室内ファン（21）の吹出側）と吸込グリル（12）側（室内ファン（21）の吸込側）とに区画している。上記ベルマウス（24）を設けることによって、上記室内ファン（21）により該ベルマウス（24）の下方から吸い込まれた空気は、該ベルマウス（24）の上方で周方向に吹き出される。
【００６９】
また、上記ベルマウス（24）及びドレンパン（23）によって構成される本実施形態の通風仕切板には、図３に示すように、直方体状の本体ケーシング（18）の４隅のうち一つの隅部に対応する位置に、開口（24a）が形成されている。この開口（24a）が、後述する導入用ダクト（86）の導入口を構成する。なお、上記開口（24a）は、掃除ユニット（100）のない室内ユニット（3）の場合（本体ユニット（10）のみ）には、室内ファン（21）の吹出空気が漏れないようにカバー（図示省略）によって塞がれている。
【００７０】
上記室内熱交換器（22）は、平面視でロ字状に形成され、上記本体ケーシング（18）内に上記室内ファン（21）を囲むように配置されている。この室内熱交換器（22）では、上記室内ファン（21）によって送られる室内空気（吹出空気）と該熱交換器（22）内を流通する冷媒との間で熱交換が行われる。
【００７１】
上記ドレンパン（23）は、上記室内熱交換器（22）の下側に設けられている。このドレンパン（23）は、上記室内熱交換器（22）において空気中の水分が凝縮して生じるドレン水を受けるためのものである。上記ドレンパン（23）には、ドレン水を排水するためのドレンポンプが設けられている（図示省略）。また、上記ドレンパン（23）は、ドレンポンプを設置した箇所にドレン水が集まるように勾配がつけられている。
【００７２】
上記電装品箱（20）は、室内ユニット（3）内の室内ファン（21）等の構成部品の動作制御を行うための各種電装部品が収納されたもので、図３に示すように、上記ベルマウス（24）の下側で且つ平面視で上記室内ファン（21）の吸込口に重ならないように該吸込口の外方に配置されている。本実施形態では、上記電装品箱（20）は、上記ベルマウス（24）に形成された開口（24a）に対して上記室内ファン（21）の吸込口を挟んで反対側に配置されている。
【００７３】
上記掃除ユニット（100）は、平面視で略矩形状のチャンバケーシング（101）内に、円形状のエアフィルタ（30）、塵埃除去手段（50）、塵埃搬送手段（80）、塵埃捕集箱（90）（塵埃捕集手段）等が配設されたものである。すなわち、上記掃除ユニット（40）は、詳しくは後述するように、室内ファン（21）の吸込側に位置するエアフィルタ（30）に付着した塵埃を塵埃除去手段（50）によって除去するとともに、除去した塵埃を塵埃搬送手段（80）によって塵埃捕集箱（90）内に搬送し、該塵埃捕集箱（90）内に貯留できるように構成されている。
【００７４】
上記チャンバケーシング（101）は、上記本体ユニット（10）の本体ケーシング（18）と同じ大きさに形成されていて、図２に示すように、該本体ケーシング（18）との間にシール部材（102）を挟んだ状態で該本体ケーシング（18）の室内側に配置されている。また、上記チャンバケーシング（101）の室内側には、シール部材（103）を挟んで化粧パネル（11）が取り付けられている。
【００７５】
また、上記チャンバケーシング（101）には、各辺に沿うように空気通路（101a）が４つ形成されている。各空気通路（101a）は、上記本体ユニット（10）において、室内熱交換器（22）の外方に形成される本体ケーシング（18）内の空間に連通するように設けられていて、該室内熱交換器（22）で冷媒と熱交換をした後の空気が室内側に向かって流れるように構成されている。すなわち、上記チャンバケーシング（101）の空気通路（101a）内を流れた空気は、上記化粧パネル（11）に形成された吹出口（14）から室内空間へ供給される。なお、上記図２に示すように、上記チャンバケーシング（101）において上記空気通路（101a）の内側を形成する部分は、シール部材（104）を介して上記本体ユニット（10）のドレンパン（23）を下方から支持している。
【００７６】
上記化粧パネル（11）は、平面視で矩形の板状に形成されている（図３参照）。上記図２にも示すように、上記化粧パネル（11）は、その平面視形状が、本体ユニット（10）の本体ケーシング（18）や掃除ユニット（100）のチャンバケーシング（101）の平面視形状よりも一回り大きくなるように形成されている。上述のとおり、上記化粧パネル（11）は、シール部材（103）を間に挟んだ状態でチャンバケーシング（101）の下側を覆うように取り付けられ、これにより、該化粧パネル（11）は、図３に示す状態で室内側に露出することになる。
【００７７】
また、上記化粧パネル（11）には、図３に示すように、１つの吸込口（13）と４つの吹出口（14,14,…）とが形成されている。上記吸込口（13）は、化粧パネル（11）の中央部に略矩形状に形成されていて、後述するスリット部（12a）を有する吸込グリル（12）が嵌め込まれている。上記各吹出口（14）は、細長い矩形状に形成されていて、上記掃除ユニット（100）の空気通路（101a,101a,…）に対応して上記化粧パネル（11）の各辺に沿うように設けられている。そして、各吹出口（14）には、風向調整板（15）が設けられている（図２等参照）。この風向調整板（15）は、回動して風向（吹出方向）を調整するように構成されている。
【００７８】
上記吸込グリル（12）は、その中央部分にスリット状の複数の開口が形成されたスリット部（12a）を有するカバー部材であり、上記化粧パネル（11）の吸込口（13）を覆うように取り付けられている。また、この吸込グリル（12）には、後述するように、掃除機のノズルを挿入するためのノズル挿入部（110）が設けられている。このノズル挿入部（110）は、上記掃除ユニット（100）の塵埃捕集箱（90）内に貯留された塵埃を掃除機によって回収できるように、該掃除機のノズルを挿入可能に構成されている。
【００７９】
さらに、上記化粧パネル（11）には、後述するように、上記掃除ユニット（100）の塵埃捕集箱（90）内に所定量以上の塵埃が貯留された場合や、塵埃除去手段（50）によってエアフィルタ（30）に付着した塵埃を除去している場合などに点灯するＬＥＤ（16）が設けられている。
【００８０】
〈掃除ユニットの構成〉
次に、上記掃除ユニット（100）内の構成について図３〜図１５に基づいて以下で詳しく説明する。
【００８１】
上述のとおり、上記掃除ユニット（100）は、平面視で略矩形状のチャンバケーシング（101）内に、エアフィルタ（30）、塵埃除去手段（50）、塵埃搬送手段（80）、塵埃捕集箱（90）及び電装品箱（105）などが配置されてなるもので、上記本体ユニット（10）の室内ファン（21）の吸込口の下方に位置する上記エアフィルタ（30）を清掃するためのユニットである。
【００８２】
また、上記掃除ユニット（100）には、上記ベルマウス（24）の下方を覆うように仕切板（25）（吸込側仕切板）が設けられている。この仕切板（25）は、例えば図２に示すように、上記ベルマウス（24）と上記吸込グリル（12）との間の空間を上下に仕切っている。つまり、上記仕切板（25）は、室内熱交換器（22）の上流側空間をベルマウス（24）を含む室内熱交換器（22）側と吸込グリル（12）側とに区画している。
【００８３】
上記仕切板（25）の中央には、図２や図５に示すように、吸込口（13）から吸い込まれた空気がベルマウス（24）へ流入するための通気孔（26）が形成されている。この通気孔（26）は、円形孔が径方向に延びる４つの径方向梁部（27）によって内部を扇形に仕切られている。各径方向梁部（27）は、互いに上記通気孔（26）の円中心で繋がっており、その部分に円筒状のフィルタ回転軸（28）（回転軸部）が下方に突出形成されている。このフィルタ回転軸（28）は、上記エアフィルタ（30）が回転するための回転軸である。また、上記径方向梁部（27）のうちの一つには、上記エアフィルタ（30）を塵埃除去手段（50）の回転ブラシ（51）に対して上から押さえつけるためのフィルタ押さえ（29）が２つ設けられている。
【００８４】
なお、詳しくは後述するように、上記仕切板（25）の通気孔（26）の側方には、該通気孔（26）と繋がるようにサービス孔（25a）が形成されていて、このサービス孔（25a）を塞ぐようにサービス蓋（106）が配設されている（図１９及び図２０参照）。
【００８５】
上記図５に示すように、上記エアフィルタ（30）は、仕切板（25）の通気孔（26）の下方に配置され、上記ベルマウス（24）及び通気孔（26）よりも大径の円板状に形成されている。具体的には、上記エアフィルタ（30）は、環状のフィルタ本体（31）とメッシュ部材（37）とを備えている。このフィルタ本体（31）の外周面には、ギア部（32）が設けられている一方、フィルタ本体（31）の中心部には、径方向に放射状に延びる６つの径方向リブ（34）によって支持される円筒状の軸挿通部（33）（中央部）が設けられている。つまり、各径方向リブ（34）は、軸挿通部（33）から放射状に延びて上記フィルタ本体（31）に接続している。また、上記フィルタ本体（31）の内側には、該フィルタ本体（31）と同心に配置された環状の内側周方向リブ（35）および外側周方向リブ（36）が設けられている。この外側周方向リブ（36）は、内側周方向リブ（35）よりも大径に形成されている。ここで、図６に示すように、上記軸挿通部（33）は、その挿通孔（33a）の内径が上記仕切板（25）に形成されたフィルタ回転軸（28）や、後述する止めネジ（28a）（係止部材）の頭部（28b）よりも大径に形成されている。
【００８６】
上記メッシュ部材（37）は、フィルタ本体（31）の内側全体に張られている。吸込口（13）から吸い込まれた空気は、エアフィルタ（30）のメッシュ部材（37）を通過してベルマウス（24）へ流入する。その際、空気中の塵埃が上記メッシュ部材（37）に捕捉される。
【００８７】
また、上記エアフィルタ（30）は、上述したフィルタ押さえ（29）が環状の各周方向リブ（35,36）の上面に当接することによって下方へ付勢される。これにより、エアフィルタ（30）が後述する塵埃除去手段（50）の回転ブラシ（51）に押さえ付けられる。したがって、この構成により、塵埃除去手段（50）による塵埃の除去効率の向上を図ることができる。
【００８８】
図５及び図６に示すように、上記エアフィルタ（30）は、軸挿通部（33）が仕切板（25）のフィルタ回転軸（28）に対して回転可能に嵌め込まれる。上記エアフィルタ（30）の下方には、塵埃除去手段（50）の塵埃貯留容器（60）が配置されており、該エアフィルタ（30）がフィルタ回転軸（28）に嵌め込まれた状態で、後述する上記塵埃貯留容器（60）のフィルタ取付部（68）と仕切板（25）のフィルタ回転軸（28）とが止めネジ（28a）によって固定されている。これにより、仕切板（25）と塵埃貯留容器（60）との間にエアフィルタ（30）が挟み込まれた状態で保持される。
【００８９】
上記エアフィルタ（30）の近傍には、図４及び図７に示すように、該エアフィルタ（30）を回転駆動するためのフィルタ駆動手段（40）が設けられている。このフィルタ駆動手段（40）は、上記図７に示すように、フィルタ駆動モータ（41）及びリミットスイッチ（44）を備えている。フィルタ駆動モータ（41）の駆動軸には、駆動ギア（42）が設けられ、該駆動ギア（42）がエアフィルタ（30）のギア部（32）と噛み合っている。駆動ギア（42）の一端面（図の例では下面）には、突片であるスイッチ作動部（43）が設けられている。このスイッチ作動部（43）は、駆動ギア（42）の回転によりリミットスイッチ（44）のレバー（44a）に当接することで該レバー（44a）を動かすようになっている。このレバー（44a）が動作すると、それをリミットスイッチ（44）が検知するように構成されている。つまり、上記スイッチ作動部（43）およびリミットスイッチ（44）は、上記駆動ギア（42）の回転を検出するように構成されていて、これにより、該駆動ギア（42）の回転数に応じて上記塵埃除去手段（50）を動作させる時期を検出したり、該駆動ギア（42）が回転していない場合の異常検知を行ったりすることが可能となる。
【００９０】
次に、上記掃除ユニット（100）内に設けられた、上記塵埃除去手段（50）、貯留量検出手段（70）、塵埃搬送手段（80）及び塵埃捕集箱（90）について、図８〜図１５を参照しながら説明する。
【００９１】
上記塵埃除去手段（50）は、エアフィルタ（30）に捕捉された塵埃を除去するためのものである。この塵埃除去手段（50）は、図１０及び図１１に示すように、ブラシ部材である回転ブラシ（51）および清掃用ブラシ（52）と、ブラシ駆動手段（53）と、除去した塵埃を集めておくための塵埃貯留容器（60）とを備えている。上記図１０に示すように、上記回転ブラシ（51）および清掃用ブラシ（52）は、塵埃貯留容器（60）のブラシ用開口（63）に設けられている。
【００９２】
上記回転ブラシ（51）は、細長い円柱状のシャフト（51a）と、該シャフト（51a）の外周面に設けられたブラシ（51b）とを備えている。このブラシ（51b）は、複数の植毛によって構成されている。そして、上記ブラシ（51b）は、シャフト（51a）外表面の周方向の一部分に、該シャフト（51a）の軸方向に亘って設けられている。
【００９３】
上記清掃用ブラシ（52）は、回転ブラシ（51）の一側に、該回転ブラシ（51）と接触可能に配置されている。上記清掃用ブラシ（52）は、本体部（52a）と、ブラシ（52b）と、バネ部（52c）とを備えている。この本体部（52a）は、板状部材であり、上記回転ブラシ（51）のシャフト（51a）に対応して同じ長さになるように形成されている。上記本体部（52a）は、回転ブラシ（51）の外周面に対して所定間隔で対向するように配置されている。また、上記本体部（52a）の上部は、回転ブラシ（51）のシャフト（51a）の外周面に沿うように円弧状に形成されている。この本体部（52a）の円弧状の上部には、該本体部（52a）の長さ方向に亘ってブラシ（52b）が設けられている。上記バネ部（52c）は、板ばねによって構成されていて、その一方の端部が上記本体部（52a）の下端に接続されている一方、他方の端部が上記塵埃貯留容器（60）の内壁に接続されている。つまり、上記本体部（52a）は、その下端部を上記バネ部（52c）によって支持されている。
【００９４】
上記回転ブラシ（51）および清掃用ブラシ（52）は、それぞれ、円形状のエアフィルタ（30）の半径と同等以上の長さになるように形成されていて、エアフィルタ（30）の円中心から径方向外方へ延びるように配置されている。すなわち、図４に示すように、上記塵埃除去手段（50）は、上記エアフィルタ（30）の径方向に延びるように配置されている。
【００９５】
上記回転ブラシ（51）は、回転するエアフィルタ（30）のメッシュ部材（37）にブラシ（51b）が接触することにより、該メッシュ部材（37）から塵埃を除去するように構成されている。また、上記回転ブラシ（51）は、図１０および図１１に示すように、上記ブラシ駆動手段（53）によって可逆に回転駆動される。上記ブラシ駆動手段（53）は、図８及び図９に示すように、ブラシ駆動モータ（54）と、互いに噛み合う駆動ギア（55）および従動ギア（56）とを備えている。駆動ギア（55）はブラシ駆動モータ（54）の駆動軸に設けられ、従動ギア（56）は回転ブラシ（51）のシャフト（51a）の端部に設けられている。この構成により、上記ブラシ駆動モータ（54）の回転が駆動ギア（55）及び従動ギア（56）を介して回転ブラシ（51）に伝達され、該回転ブラシ（51）が回転駆動される。
【００９６】
以上の構成より、上記回転ブラシ（51）がブラシ駆動手段（53）によって回転すると、上記清掃用ブラシ（52）のブラシ（52b）は、回転ブラシ（51）のブラシ（51b）と接触し、該清掃用ブラシ（52）によって回転ブラシ（51）のブラシ（51b）から塵埃が除去される。つまり、上記清掃用ブラシ（52）は、回転ブラシ（51）から塵埃を除去して該回転ブラシ（51）を清掃するためのものであり、上記ブラシ駆動手段（53）は、該回転ブラシ（51）のブラシ（51b）に捕捉された塵埃を上記清掃ブラシ（52）にこすり付けるように該回転ブラシ（51）を回転させるためのものである。
【００９７】
また、上記回転ブラシ（51）および清掃用ブラシ（52）の各ブラシ（51b,52b）は、いわゆるパイル織物で構成されている。このパイル織物は、基布に毛（パイル糸）が織り込まれて成る有毛繊維であり、毛足が比較的短い。また、このパイル織物は、毛並みが一定方向に傾斜する傾斜パイルである。
【００９８】
具体的には、上記回転ブラシ（51）におけるブラシ（51b）の毛並みは、図１０においてシャフト（51a）から左側に向かって傾斜している。つまり、このブラシ（51b）の毛並みは、エアフィルタ（30）の回転方向に対向するように傾斜している。このように、エアフィルタ（30）がブラシ（51b）の毛並みに対向するように回転すると、メッシュ部材（37）に捕捉された塵埃が効率よく掻き出される。
【００９９】
また、清掃用ブラシ（52）におけるブラシ（52b）の毛並みは、図１０において本体部（52a）から斜め下側に向かって傾斜している。つまり、このブラシ（52b）の毛並みは、回転ブラシ（51）が上記図１０において時計回りに回転する際に、その回転方向に対向するように傾斜している。これにより、上記回転ブラシ（51）が上記清掃用ブラシ（52）のブラシ（52b）の毛並みに対向するように回転することで、該回転ブラシ（51）のブラシ（51b）に付着している塵埃を上記清掃用ブラシ（52）のブラシ（52b）で除去することが可能となる。
【０１００】
なお、これら回転ブラシ（51）および清掃用ブラシ（52）の塵埃除去動作については、後で詳述する。
【０１０１】
上記塵埃貯留容器（60）は、清掃用ブラシ（52）によって回転ブラシ（51）から除去された塵埃を集めて一時的に貯留するためのものである。この塵埃貯留容器（60）は、側面視（図８において右側から視た場合）で上側部分が下側部分に対して右側方に膨出した、やや逆くの字に屈曲している柱状の容器である。上記塵埃貯留容器（60）は、上側部分がエアフィルタ（30）の塵埃を除去するための回転ブラシ（51）等が配設される除去部（61）であり、下側部分が該回転ブラシ（51）によってエアフィルタ（30）から除去された塵埃を貯留するための貯留部（62）となっている。なお、本発明の塵埃除去部は、上記塵埃貯留容器（60）の除去部（61）内に回転ブラシ（51）及び清掃ブラシ（52）が配設された構成に対応する。
【０１０２】
具体的には、上記除去部（61）の上面には、その長手方向に延びるようにブラシ用開口（63）が形成されていて、上述したようにそのブラシ用開口（63）内に塵埃除去手段（50）の回転ブラシ（51）および清掃用ブラシ（52）が設けられている。また、上記除去部（61）の一側面には、上述したフィルタ取付部（68）が設けられている。なお、このフィルタ取付部（68）の構成やエアフィルタ（30）との接続構造等については後述する。
【０１０３】
上記貯留部（62）は、断面視で下端側（底部側）が円弧状に膨出している。そして、その貯留部（62）の円弧部には、清掃用ブラシ（52）によって回転ブラシ（51）から除去された塵埃が落下して貯留される。また、上記貯留部（62）は、筒状に形成されていて、その長手方向の両端部（66,67）が開口している。この貯留部（62）の第１端部（66）には、後述する塵埃搬送手段（80）のダンパボックス（81）が接続され、第２端部（67）には、後述する塵埃搬送手段（80）の搬送用ダクト（88）が接続されている。
【０１０４】
また、上記図１０に示すように、上記塵埃貯留容器（60）には、貯留部（62）に貯留された塵埃量を検出するための貯留量検出手段（70）が設けられている。この貯留量検出手段（70）は、センサボックス（71）内に収納された発光ＬＥＤ（72）及びフォトトランジスタ（73）を備えている。上記センサボックス（71）は、塵埃貯留容器（60）の貯留部（62）の第２端部（67）寄りに、該貯留部（62）の横断方向に延び且つその底部を覆うように設けられている（図５、図８、図９参照）。上記発光ＬＥＤ（72）及びフォトトランジスタ（73）は、上記センサボックス（71）内に、上記貯留部（62）をその横断方向に挟んで対向配置されている。一方、上記貯留部（62）の壁面には、上記発光ＬＥＤ（72）及びフォトトランジスタ（73）にそれぞれ対応して、第１透明窓（64）および第２透明窓（65）が設けられている。
【０１０５】
以上の構成により、上記貯留量検出手段（70）において、発光ＬＥＤ（72）で生じた光は、第１透明窓（64）および第２透明窓（65）を順に透過した後、フォトトランジスタ（73）によって光度が検出される。このフォトトランジスタ（73）によって検出された光度に応じて、貯留部（62）における塵埃の貯留量（即ち、充填度）を検出することができる。すなわち、塵埃の貯留量が少ないと、上記貯留部（62）において第１透明窓（64）から第２透明窓（65）への光の透過率が高くなり、上記フォトトランジスタ（73）によって検出される光度が高くなる。逆に、塵埃の貯留量が多いと、上記貯留部（62）において第１透明窓（64）から第２透明窓（65）への光の透過率が低くなり、上記フォトトランジスタ（73）によって検出される光度が低くなる。したがって、この貯留量検出手段（70）によれば、例えば、光度が所定値以下になると、貯留部（62）の貯留量が多いと判断することができる。これにより、後述する塵埃搬送手段（80）によって貯留部（62）内の塵埃を搬送する塵埃搬送動作を行った後でも、上記貯留量検出手段（70）によって上記貯留部（62）内の塵埃の貯留量が多いと検出された場合には、塵埃の搬送先である塵埃捕集箱（90）内が満杯であると判断することが可能になる。
【０１０６】
また、上述のように、上記貯留量検出手段（70）を、搬送用ダクト（88）に繋がる上記貯留部（62）の第２端部（67）寄りに設けることで、塵埃が該搬送用ダクト（88）内を搬送されて塵埃捕集箱（90）内に集められる際に、該第２端部（67）で塵埃が詰まったりした場合でも、その状態を検出することが可能になる。すなわち、本実施形態のような構成では、上記搬送用ダクト（88）との接続部分である上記貯留部（62）の第２端部（67）周辺で最も塵埃が詰まり易くなるが、この部分に上記貯留量検出手段（70）を設けることにより、塵埃の詰まりをより確実に検出することが可能になる。
【０１０７】
上記塵埃搬送手段（80）は、例えば、図４、図５、図８、図１２および図１４に示すように、上述したダンパボックス（81）および搬送用ダクト（88）と、導入用ダクト（86）と、吸引用ダクト（87）とを備えている。
【０１０８】
上記ダンパボックス（81）は、直方体状に形成されていて、その長手方向の一端側が上記貯留部（62）の第１端部（66）に接続されている。図１２および図１４に示すように、上記ダンパボックス（81）内には、開閉部材であるダンパ（82）が設けられている。このダンパ（82）が閉まると、ダンパボックス（81）の内部空間がその長手方向に仕切られる。つまり、ダンパボックス（81）の内部空間は、上記ダンパ（82）によって、他端側の第１室（81a）と一端側である塵埃貯留容器（60）側の第２室（81b）とに区画される。上記ダンパボックス（81）の一端側に区画形成される上記第２室（81b）には、上述したように、貯留部（62）の第１端部（66）が接続されていて、該第２室（81b）と貯留部（62）とが連通している。
【０１０９】
図９や図１４に示すように、上記塵埃搬送手段（80）は、ダンパ（82）を開閉駆動するためのダンパ駆動モータ（83）と駆動ギア（84）と従動ギア（85）とを備えている。この駆動ギア（84）はダンパ駆動モータ（83）の駆動軸に接続されていて、上記従動ギア（85）は、ダンパ（82）の回動軸に接続されている。そして、これらの駆動ギア（84）および従動ギア（85）は、互いに噛み合うように配置されている。この構成により、上記ダンパ駆動モータ（83）の回転は、各ギア（84,85）を介してダンパ（82）の回動軸に伝達される。これにより、上記ダンパ駆動モータ（83）の回転によって上記ダンパ（82）は回動軸を中心に回動する、開閉動作が行われる。
【０１１０】
上記導入用ダクト（86）は、円筒状の部材であり、その一端側が上記ダンパボックス（81）の上面に接続されていて、該ダンパボックス（81）内の第１室（81a）に連通している。一方、上記導入用ダクト（86）の他端側は、図１２に示すように、ダンパボックス（81）から鉛直上方に延びて、掃除ユニット（100）と本体ユニット（10）との間に設けられた仕切板（25）を貫通し、該本体ユニット（10）のドレンパン（23）の延出部に接続されている。このドレンパン（23）の延出部には、貫通孔である導入口（86d）が形成されている。そして、この導入口（86d）を通じて、導入用ダクト（86）が室内ファン（21）側の空間と連通している。つまり、この導入用ダクト（86）は、室内ファン（21）の吹出空気をダンパボックス（81）内へ導入するように構成されている。したがって、上記導入用ダクト（86）及びダンパボックス（81）内には上記吹出空気の通風路（89）が形成される。なお、上記導入用ダクト（86）の構成については後述の回動構造の部分で詳述する。
【０１１１】
上記吸引用ダクト（87）は、例えば図１４や図１５に示すように、流入側である一端が上記ダンパボックス（81）の一端側の下面に接続されていて、該ダンパボックス（81）内の第２室（81b）に連通している。一方、上記吸引用ダクト（87）の流出側である他端は、化粧パネル（11）に形成されたノズル挿入部（110）に接続されている。このノズル挿入部（110）は、掃除機のノズルを挿入して吸引するための開口を有している。
【０１１２】
具体的には、上記吸引用ダクト（87）は、図１５に示すように、上記ダンパボックス（81）の下面に回動可能に設けられた接続管（87a）と、該接続管（87a）と上記化粧パネル（11）のノズル挿入部（110）とを接続するフレキシブルダクト（87b）と、からなる。このように、上記ダンパボックス（81）に接続される接続管（87a）を回動可能に構成し、該接続管（87a）と上記ノズル挿入部（110）とを変形可能なフレキシブルダクト（87b）によって接続することで、上記図１５に示すように、設置する際に下面視で吸込グリル（12）のスリット部（12a）の向きが変わった場合でも、上記ダンパボックス（81）とノズル挿入部（110）とを確実に接続することができる。したがって、上記吸込グリル（12）のスリット部（12a）の向きをユーザーの好みに合わせて自由に変えることが可能となる。
【０１１３】
上記搬送用ダクト（88）は、図２〜図４に示すように、一端が塵埃貯留容器（60）における貯留部（62）の第２端部（67）に接続され、他端が後述する塵埃捕集箱（90）に接続されている。この搬送用ダクト（88）によって、上記塵埃貯留容器（60）と塵埃捕集箱（90）とを連通させることができ、該搬送用ダクト（88）内での塵埃の搬送が可能になる。なお、上記搬送用ダクト（88）はフレキシブルチューブによって構成されている。
【０１１４】
上述のような構成を有する塵埃搬送手段（80）において、冷暖房を行う通常運転の場合、上記ダンパボックス（81）のダンパ（82）は閉じられている（図１４（Ａ）参照）。これにより、室内ファン（21）の吹出空気はダンパボックス（81）の第２室（81b）へ導入されない。一方、上記塵埃貯留容器（60）内の塵埃を塵埃捕集箱（90）に搬送する場合には、上記ダンパボックス（81）のダンパ（82）が開く（図１４（Ｂ）参照）。これにより、上記室内ファン（21）の吹出空気が導入用ダクト（86）およびダンパボックス（81）を介して上記塵埃貯留容器（60）内へ導入される。その結果、該塵埃貯留容器（60）内の塵埃は、導入された空気と共に上記搬送用ダクト（88）を流れて上記塵埃捕集箱（90）内へ搬送される。つまり、上述のように、上記ダンパボックス（81）内のダンパ（82）を開くことにより、室内ファン（21）の吹出空気を利用して上記塵埃貯留容器（60）の塵埃を該塵埃貯留容器（60）内から排出して所定位置まで搬送することができる。
【０１１５】
さらに、上記塵埃搬送手段（80）では、上記塵埃捕集箱（90）内に捕集された塵埃をケーシング（101）外へ排出する場合も、上記ダンパボックス（81）のダンパ（82）は閉じられている（図１４（Ｃ）参照）。この場合には、掃除機によってノズル挿入部（110）から吸引することで、上記塵埃捕集箱（90）内の塵埃が搬送用ダクト（88）、ダンパボックス（81）および吸引用ダクト（87）を通じて掃除機に吸引される。
【０１１６】
上記塵埃捕集箱（90）は、上述のとおり、上記塵埃貯留容器（60）内の塵埃が搬送されて貯留されるものである。この塵埃捕集箱（90）は、例えば図３や図４に示すように、やや細長い略直方体状に形成され、上記塵埃貯留容器（60）と同様に仕切板（25）の下方に配置されている。そして、上記塵埃捕集箱（90）は、平面視でエアフィルタ（30）と重ならないように、該エアフィルタ（30）の側方で且つ上記仕切板（25）の一端辺に沿って配置されている。本実施形態では、上記塵埃捕集箱（90）は、上記ダンパボックス（81）に対して、エアフィルタ（30）を挟んで対向する位置で、且つ上記本体ユニット（10）の電装品箱（20）及びサービス蓋（106）の下方に配置される（図１８〜図２０参照）。また、上記塵埃捕集箱（90）は、上記エアフィルタ（30）との干渉を確実に防止するために、該エアフィルタ（30）側の側板が、該エアフィルタ（30）の外周に対応して円弧状に形成されている。
【０１１７】
また、上記塵埃捕集箱（90）は、一方の端部（一側部）の側面に流入口（94）が形成されていて、該流入口（94）に上記搬送用ダクト（88）の他端側が接続されている。一方、上記塵埃捕集箱（90）の他方の端部（他側部）は、掃除ユニット（100）のチャンバケーシング（101）を貫通しており、その端面には該ケーシング（101）の外方に開口する排気口（91）が設けられている。すなわち、上記塵埃捕集箱（90）は、搬送用ダクト（88）が接続される側とは反対側の端部に排気口（91）が設けられていて、その内部を長手方向に空気が流れやすい構成になっている。なお、上記塵埃捕集箱（90）は、排気口（91）側の部分が他の部分よりも断面積が小さくなっている。ここで、上記図４において、符号93は、上記塵埃捕集箱（90）のチャンバケーシング（101）を貫通する部分を、ケーシング内側からシールするシール部材である。
【０１１８】
また、上記塵埃捕集箱（90）内には、上記排気口（91）寄りにフィルタ（92）が設けられている。このフィルタ（92）を設けることで、塵埃貯留容器（60）から塵埃捕集箱（90）内に塵埃を搬送する際に、空気は排気口（91）から排出される一方、搬送された塵埃は上記フィルタ（92）に捕捉されて排気口（91）から流出することはない。また、掃除機による吸引によって塵埃捕集箱（90）から塵埃が排出される場合には、室内空気が上記排気口（91）を通じて該塵埃捕集箱（90）内に流入するが、流入した空気中の塵埃は上記フィルタ（92）によって捕捉される。
【０１１９】
上述のように、上記排気口（91）による給排気によって塵埃捕集箱（90）内の圧力バランスが適切になるので、該塵埃捕集箱（90）に対する塵埃の搬送動作および排出動作が適切に行われる。
【０１２０】
上記電装品箱（105）は、掃除ユニット（100）内のフィルタ駆動手段（40）や、塵埃除去手段（50）、塵埃搬送手段（80）などを駆動制御するための電子部品等が収納されたもので、内部の電装部品は、上記本体ユニット（10）の電装品箱（20）内の電装部品と信号線等により信号の授受可能に電気的に接続されている。
【０１２１】
また、上記電装品箱（105）は、図３に示すように、掃除ユニット（100）の仕切板（25）の下方に、上記塵埃捕集箱（90）の配置される辺と隣り合う辺で、且つ上記塵埃貯留容器（60）に接続されるダンパボックス（81）とはエアフィルタ（30）を挟んで対向する位置に配置されている。これにより、詳しくは後述するように、メンテナンス時に上記掃除ユニット（100）の仕切板（25）に設けられたサービス蓋（106）やエアフィルタ（30）を取り外す際、上記塵埃貯留容器（60）を回動させても電装品箱（105）が該塵埃貯留容器（60）と干渉するのを確実に防止することができる。
【０１２２】
〈回動構造〉
次に、本発明の特徴部分である塵埃除去手段（50）の回動構造について図１２及び図１３に基づいて以下で詳細に説明する。
【０１２３】
上述のとおり、上記塵埃除去手段（50）の塵埃貯留容器（60）は、第１端部（66）でダンパボックス（81）に接続されている。そして、このダンパボックス（81）の上面には、導入用ダクト（86）が接続されていて、該ダンパボックス（81）内の第１室（81a）に連通している。この導入用ダクト（86）は、図１２に示すように、掃除ユニット（100）と本体ユニット（10）との間に設けられた仕切板（25）を貫通するように鉛直上方に延びて、他端側が該本体ユニット（10）のドレンパン（23）の延出部に接続されている。
【０１２４】
また、上記導入用ダクト（86）は、円形状の横断面を有する上流側ダクト（86a）および下流側ダクト（86b）を備えていて、これらの２つの部材（83a,83b）が止めネジ（86c）によって上下方向に連結されている。
【０１２５】
上記上流側ダクト（86a）は、その横断面積（流路面積）が上記下流側ダクト（86b）の横断面積（流路面積）よりも大きくなるように形成されている。この下流側ダクト（86b）の下端（図１２における下側）は、ダンパボックス（81）の上面に接続されている一方、上記上流側ダクト（86a）の上端（図１２における上側）は、ドレンパン（23）の水平に延びる延出部にシール部材（86e）を介して当接している。このドレンパン（23）の延出部には、貫通孔である導入口（86d）が形成されているため、上流側ダクト（86a）は、この導入口（86d）を通じて室内ファン（21）側の空間と連通している。
【０１２６】
また、上記上流側ダクト（86a）には、その下部が上部よりも小径になるように段差部（86f）が形成されている。上記下流側ダクト（86b）は、その上部に外方に向かって拡がるフランジ部（86g）が形成されている。そして、上記上流側ダクト（86a）の段差部（86f）と上記下流側ダクト（86b）のフランジ部（86g）とが上下方向に重ね合わされた状態で、止めネジ（86c）によって連結されている。
【０１２７】
ここで、上記下流側ダクト（86b）のフランジ部（86g）の上面には、上記図１２に示すように、上記止めネジ（86c）が螺合するネジ取付部（86h）が設けられているため、上記上流側ダクト（86a）の段差部（86f）と上記下流側ダクト（86b）のフランジ部（86g）との間の外周部分には、隙間が形成される。この隙間内に上記仕切板（25）の開口周縁部が位置するように、上記上流側ダクト（86a）及び下流側ダクト（86b）は連結されている。この構成により、上記導入用ダクト（86）が脱落しないように上記仕切板（25）の開口周縁部を挟み込みつつ、該導入用ダクト（86）の上端をベルマウス（24）に接続させることが可能になる。
【０１２８】
さらに、上述のように、上記上流側ダクト（86a）の段差部（86f）と下流側ダクト（86b）のフランジ部（86g）とで仕切板（25）の開口周縁部を挟み込むような構成にすることで、該上流側ダクト（86a）と下流側ダクト（86b）との連結部分が仕切板（25）に対して回動可能になる。しかも、本実施形態では、上記上流側ダクト（86a）と上記シール部材（86e）との当接部分も回動可能に構成されているため、上記導入用ダクト（86）、ダンパボックス（81）及び塵埃除去手段（50）は、導入用ダクト（86）の軸心（導入口）を中心にして一体で回動できるようになる。したがって、上記塵埃除去手段（50）を、上記エアフィルタ（30）から塵埃を除去する塵埃除去位置（図４及び１８参照）と、該塵埃除去位置よりもエアフィルタ（30）外方側の待機位置（図１９及び図２２参照）とに、切り換えることが可能となる。なお、上記待機位置は、平面視で塵埃除去手段（50）の回転ブラシ（51）の少なくとも一部が上記エアフィルタ（30）の外方に位置付けられるような位置であってもよい。
【０１２９】
ここで、上記ダンパボックス（81）及び導入用ダクト（86）が、本発明に係る回動支持手段に相当する。
【０１３０】
上記上流側ダクト（86a）の段差部（86f）の外周側には、下方へ突出する突出部（86i）が設けられている。また、上記仕切板（25）の上面で、且つ上記塵埃除去手段（50）が塵埃除去位置にあるときに上記導入用ダクト（86）の突出部（86i）に対応する位置には、上方へ突出する突出部（25b）が設けられている。これらの突出部（86i,25b）は、上記導入用ダクト（86）の回動方向に延びるように突条に形成されていて、上記塵埃除去手段（50）が待機位置にあるときには、互いに当接しないような長さに形成されている。したがって、上記突出部（86i,25b）同士は、上記塵埃除去手段（50）が塵埃除去位置にあるときには互いに上下に当接する（図１３（Ａ）参照）一方、該塵埃除去手段（50）が待機位置にあるときには互いに当接しない（図１３（Ｂ）参照）ようになっている。これにより、上記塵埃除去手段（50）が塵埃除去位置にあるときには、上記導入用ダクト（86）及び該塵埃除去手段（50）は、上記仕切板（25）に対して突出部（25b）の突出高さ分だけ持ち上げられて、該塵埃除去手段（50）がエアフィルタ（30）の下面に押し付けられる。一方、上記塵埃除去手段（50）が待機位置まで回動する場合、上記導入用ダクト（86）及び該塵埃除去手段（50）は、塵埃除去位置の場合よりも下方に位置付けられて、該塵埃除去手段（50）は上記エアフィルタ（30）の下方に離間される。よって、上記導入用ダクト（86）の回動によって、上記塵埃除去手段（50）のエアフィルタ（30）に対する高さ位置を変更することができる。
【０１３１】
こうすることで、上記塵埃除去手段（50）の待機位置が、平面視で該塵埃除去手段（50）の少なくとも一部が上記エアフィルタ（30）と重なるような位置である場合には、該塵埃除去手段（50）を待機位置まで回動させることで、上記エアフィルタ（30）を脱着する際に、該エアフィルタ（30）が上記塵埃除去手段（50）と干渉するのを防止することができる。したがって、上記エアフィルタ（30）のメンテナンス作業性の向上を図れる。
【０１３２】
なお、上記各突出部（86i,25b）は、図１３に示すように、上記塵埃除去手段（50）が待機位置のときに互いに対向する側の端部が、該突出部（86i,25b）の延設方向の先端に向かって徐々に突出高さが小さくなるように構成されているため、上記導入用ダクト（86）が回動して上記塵埃除去手段（50）が塵埃除去位置または待機位置に切り替わるときに、上記突出部（86i,25b）はスムーズに当接または離間する。したがって、この構成により、上記導入用ダクト（86）及び塵埃除去手段（50）をスムーズに上下動させることができる。
【０１３３】
また、上記塵埃除去手段（50）の回動は、駆動手段である駆動モータ（95）によって行うようにしてもよい。具体的には、図２１及び図２２に示すように、導入用ダクト（86）の下流側ダクト（86b）の外周上には、第２駆動ギヤ（97）が設けられていて、該第２駆動ギヤ（97）に噛合するように、上記駆動モータ（95）と駆動連結された第１駆動ギヤ（96）が配設されている。これにより、上記駆動モータ（95）の回転は、上記第１駆動ギヤ（96）、第２駆動ギヤ（97）の順に伝わって、上記導入用ダクト（86）を回動させることができる。
【０１３４】
上記駆動モータ（95）は、上記塵埃除去手段（50）を、空調を行う通常運転時には上記待機位置に位置付ける一方、塵埃除去時には上記塵埃除去位置に位置付けるように、駆動制御される。これにより、塵埃除去時にのみ上記塵埃除去手段（50）はエアフィルタ（30）の径方向に延びるように配置されることになるため、通常運転時に該塵埃除去手段（50）によって空気の流れが阻害されるのを防止することができる。
【０１３５】
また、上記駆動モータ（95）は、上記塵埃除去手段（50）によってエアフィルタ（30）の塵埃を除去する塵埃除去時以外は、該塵埃除去手段（50）を待機位置に位置付けるように構成されている。すなわち、上記塵埃除去手段（50）は、上記エアフィルタ（30）を脱着する際には、待機位置に位置付けられている。これにより、上記エアフィルタ（30）を脱着する際に、上記塵埃除去手段（50）を手動で移動させる必要がなくなるため、該エアフィルタ（30）の脱着を容易に行うことができる。
【０１３６】
なお、上述のように、上記塵埃除去手段（50）が駆動モータ（95）によって回動する構成の場合、エアフィルタ（30）は仕切板に回転可能に支持されているとともに、該塵埃除去手段（50）の塵埃貯留容器（60）に設けられたフィルタ取付部（68）は、該塵埃除去手段（50）の回動に伴って仕切板（25）に対して脱着可能に構成されている。
【０１３７】
〈エアフィルタの取り付け構造〉
上述のように、掃除ユニット（100）に塵埃除去手段（50）等を回動させる機構を設けることで、メンテナンス時にエアフィルタ（30）を容易に取り外すことのできるフィルタ取り付け構造が可能になる。
【０１３８】
具体的には、図５、図６、図８及び図９に示すように、塵埃貯留容器（60）の除去部（61）の一側面に、エアフィルタ（30）を取り付けるためのフィルタ取付部（68）が設けられている。このフィルタ取付部（68）は、貯留部（62）よりも側方に膨出した除去部（61）の膨出方向に開口するように、平面視で略Ｕ字状に突出形成されたものである。すなわち、上記フィルタ取付部（68）には、上記膨出方向に開口するようなスリット部（68a）が設けられている。このスリット部（68a）は、図６に示すように、最大幅寸法が仕切板（25）のフィルタ回転軸（28）に螺合する止めネジ（28a）のネジ部（28c）（軸部）の直径よりも大きく、該フィルタ回転軸（28）の直径よりも小さくなるように形成されている。
【０１３９】
これにより、上記図６に示すように、上記フィルタ取付部（68）と仕切板（25）の径方向梁部（27）との間にエアフィルタ（30）を挟み込んだ状態で、上記止めネジ（28a）をフィルタ回転軸（28）に螺合させることで、該エアフィルタ（30）をフィルタ取付部（68）及び仕切板（25）に対して固定することができる。そして、上記エアフィルタ（30）を取り外す際には、上記止めネジ（28a）を緩めて、上記スリット部（68a）の形成されたフィルタ取付部（68）を有する塵埃貯留容器（60）を上記除去部（61）の膨出方向とは反対側（フィルタ取付部（68）の開口方向とは反対側）に回動させることで、上記フィルタ回転軸（28）に止めネジ（28a）の先端部が螺合した状態でエアフィルタ（30）の下側の押さえである上記フィルタ取付部（68）のみを該エアフィルタ（30）の軸挿通部（33）の下方から水平方向に移動させることができる。ここで、上記エアフィルタ（30）の軸挿通部（33）は、その内径が上記仕切板（25）のフィルタ回転軸（28）や止めネジ（28a）の頭部（28b）よりも大径に形成されているため、該エアフィルタ（30）を下方から取り外すことができる。
【０１４０】
以上のようなエアフィルタ（30）の取り付け構造にすることで、メンテナンス時には、上記止めネジ（28a）を外すことなく、容易にエアフィルタ（30）を取り外すことができる。
【０１４１】
〈メンテナンス構造〉
以下で、上記本体ユニット（10）の電装品箱（20）をメンテナンスする際に、上記掃除ユニット（100）を該本体ユニット（10）に取り付けた状態で該電装品箱（20）にアクセスするための構成について説明する。
【０１４２】
具体的には、図１８〜図２０に示すように、上記掃除ユニット（100）は、エアフィルタ（30）及びサービス蓋（106）を取り外し可能に構成されていて、該サービス蓋（106）を取り外せば、上記本体ユニット（10）の電装品箱（20）にアクセスできるような位置に、該サービス蓋（106）及び電装品箱（20）が設けられている。
【０１４３】
より詳しくは、上記塵埃貯留容器（60）及びダンパボックス（81）は、上述のとおり、該ダンパボックス（81）に接続された導入用ダクト（86）の軸心を中心として回動可能に構成されていて、これにより、上記エアフィルタ（30）を取り外す際には、該塵埃貯留容器（60）及びダンパボックス（81）を該エアフィルタ（30）の側方に移動させることができる（図１９参照）。
【０１４４】
なお、上記塵埃貯留容器（60）及びダンパボックス（81）を回動させる場合には、該塵埃貯留容器（60）と塵埃捕集箱（90）との間を接続する搬送用ダクト（88）や、上記ダンパボックス（81）と化粧パネル（11）のノズル挿入部（110）とを接続する吸引用ダクト（87）（フレキシブルダクト（87b））を取り外す必要がある。そのため、容易に着脱可能なように、上記搬送用ダクト（88）の塵埃貯留容器（60）及び塵埃捕集箱（90）との接続部分（107,108）や、上記フレキシブルダクト（87b）のダンパボックス（81）（接続管（87a）との接続部分（109）は、図１７に示すような構成が採用されている。この図１７には、例として、上記塵埃貯留容器（60）と搬送用ダクト（88）との接続部（107）の構成を示すが、他の接続部分（108,109）でも同様の構成が適用される。なお、以下では、上記図１７の構成に基づいて説明する。
【０１４５】
具体的には、図１７に示すように、例えば、上記塵埃貯留容器（60）と搬送用ダクト（88）との接続部（107）において、該塵埃貯留容器（60）の第２端部（67）に第１接続部（132）を設ける一方、それに対応する上記搬送用ダクト（88）の端部に第２接続部（133）を設け、該第１接続部（132）と第２接続部（133）とを係合させる。
【０１４６】
上記第１接続部（132）は、概略円筒状の部材の外周面上に全周に亘って膨出する膨出部（132a）が形成されたもので、この膨出部（132a）に後述する第２接続部（133）の係合部（133c）が係合する。
【０１４７】
上記第２接続部（133）は、上記第１接続部（132）よりも大径である概略円筒状の部材からなる本体部（133a）を備えていて、その外周面上に爪部（133b）が一体形成されている。この爪部（133b）は、上記フレキシブルダクト（87b）の軸方向外方に延びて上記第１接続部（132）の膨出部（132a）と係合する円筒状の係合部（133c）と、該係合部（133c）とは反対方向に延びる突片状のレバー部（133d）と、該係合部（133c）及びレバー部（133d）をその中間部分で上記本体部（133a）と弾性的に接続する弾性変形部（133e）と、を備えている。上記レバー部（133d）は、先端側に向かうほど径方向外方に位置付けられるように形成されている。この構成により、該レバー部（133d）を径方向内方へ変位させることにより、上記弾性変形部（133e）が変形を生じて、該レバー部（133d）とは反対方向に延びる上記係合部（133c）を径方向外方へ変位させることができる。一方、上記レバー部（133d）を元の位置に戻すと、上記弾性変形部（133e）の弾性復元力によって上記係合部（133c）は元の位置に戻る。
【０１４８】
したがって、上記第２接続部（133）の係合部（133c）を上記第１接続部（132）の膨出部（132a）に係合させる場合には、該係合部（133c）が膨出部（132a）に当接すると、該係合部（133c）を弾性支持する弾性変形部（133e）が弾性変形を生じて該係合部（133c）を径方向外方に変位させて、該係合部（133c）と膨出部（132a）との係合を可能にする（図１７（Ｂ）参照）。一方、上記第２接続部（133）を第１接続部（132）から取り外す場合には、上記レバー部（133d）を径方向内方へ変形させることで、上記係合部（133c）を径方向外方へ変位させ、該係合部（133c）を上記第１接続部（132）の膨出部（132a）から分離させることにより、該係合部（133c）と膨出部（132a）との係合が解除される。
【０１４９】
このような構成にすることで、上記塵埃貯留容器（60）に対して搬送用ダクト（88）を容易に着脱することができ、メンテナンス時等における作業性の向上を図れる。上記塵埃捕集箱（90）と搬送用ダクト（88）との接続部（108）やフレキシブルダクト（87b）のダンパボックス（81）との接続部分（109）も同様の構成にすることで、ダクト（88,87b）の着脱が容易になる。
【０１５０】
また、上記掃除ユニット（100）内の塵埃捕集箱（90）は、該掃除ユニット（100）に対して着脱可能に構成されていて、該塵埃捕集箱（90）を取り外すことで、該塵埃捕集箱（90）の上方に設けられたサービス蓋（106）が露出する。このサービス蓋（106）も取り外し可能に構成されていて、図２０に示すように、エアフィルタ（30）、サービス蓋（106）の順に取り外せば、上記本体ユニット（10）内の電装品箱（20）が露出して、該電装品箱（20）のメンテナンス作業が可能になる。
【０１５１】
−運転動作−
次に、上記室内ユニット（3）における運転動作について図１１及び図１４を参照しながら説明する。上記室内ユニット（3）は、冷暖房を行う通常運転と、エアフィルタ（30）の清掃を行うフィルタ清掃運転とが切換可能に構成されている。
【０１５２】
〈通常運転〉
通常運転では、回転ブラシ（51）を回転させてそのブラシ（51b）を清掃用ブラシ（52）側に位置させる。つまり、上記回転ブラシ（51）を、該回転ブラシ（51）のブラシ（51b）がエアフィルタ（30）に接触しない位置まで回転させて、該回転ブラシ（51）の非ブラシ面（即ち、ブラシ（51b）が設けられていないシャフト（51a）の外周面）をエアフィルタ（30）に対面させる。また、ダンパボックス（81）のダンパ（82）は閉じた状態にする（図１４（Ａ）の状態）。なお、エアフィルタ（30）は回転してない停止状態である。
【０１５３】
この状態において、室内ファン（21）が駆動される。そうすると、室内ユニット（3）では、吸込口（13）から吸い込まれた室内空気がエアフィルタ（30）を通過してベルマウス（24）内へ流入する。空気がエアフィルタ（30）を通過する際、空気中の塵埃がエアフィルタ（30）のメッシュ部材（37）に捕捉される。ベルマウス（24）に流入した空気は室内ファン（21）から吹き出される。この吹出空気は、室内熱交換器（22）の冷媒と熱交換して冷却または加熱された後、各吹出口（14）から室内へ供給される。これにより、室内の冷房または暖房が行われる。この運転では、ダンパボックス（81）のダンパ（82）が閉じられているため、室内ファン（21）の吹出空気がダンパボックス（81）を通じて塵埃貯留容器（60）へ導入されることはない。
【０１５４】
このように、通常運転では、回転ブラシ（51）のブラシ（51b）とエアフィルタ（30）とが非接触状態となる。つまり、ブラシ（51b）がエアフィルタ（30）から離隔される。したがって、ブラシ（51b）がエアフィルタ（30）に接触し続けることによる劣化を防止することができ、これにより、回転ブラシ（51）の耐久性が向上する。
【０１５５】
なお、図２１及び図２２に示すように、上記塵埃除去手段（50）を駆動モータ（95）によって回動させる構成では、該駆動モータ（95）は、通常運転時には該塵埃除去手段（50）を待機位置に位置付けるように制御されるため、回転ブラシ（51）のブラシ（51b）がエアフィルタ（30）に接触するのを確実に防止することができる。
【０１５６】
〈フィルタ清掃運転〉
フィルタ清掃運転では、図１に示す冷媒回路において圧縮機（4）が停止されて冷媒が循環しない状態となる。このフィルタ清掃運転では、「塵埃除去動作」と「ブラシ清掃動作」と「塵埃搬送動作」と「塵埃排出動作」とが切換可能に構成されている。なお、上記「塵埃除去動作」、「ブラシ清掃動作」及び「塵埃搬送動作」の間は、化粧パネル（11）に設けられたＬＥＤ（16）が点灯するように構成されている。これにより、これらの動作を行っている旨をユーザーに対して報知することができる。
【０１５７】
「塵埃除去動作」は、エアフィルタ（30）に捕捉された塵埃を除去する動作である。「ブラシ清掃動作」は、回転ブラシ（51）に捕捉された塵埃を除去する動作である。「塵埃搬送動作」は、塵埃貯留容器（60）から塵埃捕集箱（90）に塵埃を搬送する動作である。「塵埃排出動作」は、塵埃捕集箱（90）から室内ユニット（3）外へ塵埃を排出する動作である。
【０１５８】
本実施形態では、「塵埃除去動作」と「ブラシ清掃動作」とが交互に行われる。先ず「塵埃除去動作」では、室内ファン（21）が停止される。そして、回転ブラシ（51）のブラシ（51b）をエアフィルタ（30）に接触させる。この状態において、エアフィルタ（30）は、回転ブラシ（51）のブラシ（51b）の毛を逆立てるように回転移動する（図１１（Ａ）の白抜き矢印方向）。なお、このとき回転ブラシ（51）は停止させたままである。
【０１５９】
そうすると、上記エアフィルタ（30）の塵埃が回転ブラシ（51）のブラシ（51b）に捕捉される（図１１（Ａ））。そして、フィルタ駆動手段（40）のリミットスイッチ（44）のレバー（44a）が作動すると、フィルタ駆動モータ（41）が停止してエアフィルタ（30）の回転が停止する。つまり、エアフィルタ（30）は所定角度だけ回転して停止する。したがって、エアフィルタ（30）において回転ブラシ（51）のブラシ（51b）と接触した領域の塵埃が除去される。ここで、上記ブラシ（51b）は、エアフィルタ（30）の回転方向（移動方向）に対して逆立つように傾斜して植毛されているため、該エアフィルタ（30）の塵埃はブラシ（51b）によって容易に掻き取られる。よって、回転ブラシ（51）による塵埃の除去効率を向上させることができる。上述のように、上記エアフィルタ（30）の回転が停止すると、「塵埃除去動作」から「ブラシ清掃動作」に切り換わる。
【０１６０】
「ブラシ清掃動作」では、引き続き室内ファン（21）が停止した状態で、まず上記回転ブラシ（51）が図１１において左回り（反時計回り）に回転する。その際、上記回転ブラシ（51）は、ブラシ（51b）に塵埃を捕捉したまま、清掃用ブラシ（52）に対してブラシ部（51b,52b）同士が接触するように回転する（図１１（Ｂ））。上記回転ブラシ（51）は、所定の回転角度だけ回転した後、停止する。
【０１６１】
その後、上記回転ブラシ（51）は、上述の回転方向とは逆回り（図１１において右回り（時計回り））に回転する。そうすると、上記回転ブラシ（51）のブラシ（51b）に捕捉されていた塵埃は、上記清掃用ブラシ（52）のブラシ（52b）によって除去される（図１１（Ｃ））。これは、上記清掃用ブラシ（52）のブラシ（52b）の毛並みが下向き、すなわち回転ブラシ（51）の時計回りの回転によって逆立つように傾斜して植毛されているため、該清掃用ブラシ（52）によって回転ブラシ（51）のブラシ（51b）に付着した塵埃が掻き取られるからである。
【０１６２】
また、上記回転ブラシ（51）及び清掃用ブラシ（52）のブラシ部（51b,52b）同士が接触することによって、該清掃用ブラシ（52）の本体部（52a）が上記回転ブラシ（51）と離間する方向へ押されるが、該本体部（52a）はバネ部（52c）によって回転ブラシ（51）側へ付勢されているため、ブラシ部（51b,52b）同士が離隔することはなく、清掃用ブラシ（52）が適切に回転ブラシ（51）に押し付けられる。したがって、上記回転ブラシ（51）のブラシ（51b）から塵埃をより確実に除去して、上記清掃用ブラシ（52）のブラシ（52b）に塵埃を捕捉することができる。なお、上記回転ブラシ（51）は、元の状態（図１１（Ａ）の状態）の位置まで回転して停止する。
【０１６３】
続いて、上記回転ブラシ（51）は、再び左回り（反時計回り）に所定の回転角度だけ回転する。そうすると、上記清掃用ブラシ（52）のブラシ（52b）に捕捉されていた塵埃が回転ブラシ（51）のブラシ（51b）によって掻き取られ、塵埃貯留容器（60）の貯留部（62）に落下する（図１１（Ｄ））。すなわち、上記回転ブラシ（51）のブラシ（51b）の毛並みが回転方向に沿うように傾斜しているため、上記清掃用ブラシ（52）のブラシ（52b）から塵埃を掻き取ることができる。その際も、上記清掃用ブラシ（52）は、バネ部（52c）によって回転ブラシ（51）側に適切に押し付けられるため、該清掃用ブラシ（52）から塵埃をより確実に除去することができる。
【０１６４】
以上により、回転ブラシ（51）に捕捉された塵埃は除去され、塵埃貯留容器（60）の貯留部（62）に貯留される。その後、回転ブラシ（51）は再び右回り（時計回り）に回転して元の状態（図１１（Ａ））に戻り、「ブラシ清掃動作」が一旦終了する。
【０１６５】
上述のような「ブラシ清掃動作」が終了すると、再び上述した「塵埃除去動作」が行われる。つまり、再びエアフィルタ（30）が回転され、リミットスイッチ（44）のレバー（44a）が再び作動するとエアフィルタ（30）が停止する。これにより、エアフィルタ（30）において回転ブラシ（51）のブラシ（51b）を通過した領域の塵埃が回転ブラシ（51）のブラシ（51b）に捕捉される（図１１（Ａ））。このように、「塵埃除去動作」と「ブラシ清掃動作」とが交互に繰り返すことにより、エアフィルタ（30）の所定領域毎に塵埃が除去されていく。そして、上記エアフィルタ（30）の全領域において塵埃が除去されると、「塵埃除去動作」および「ブラシ清掃動作」が完全に終了する。例えば、リミットスイッチ（44）のレバー（44a）が所定回数作動すると、エアフィルタ（30）が１回転したと判断して上記動作が終了する。
【０１６６】
ところで、上述した「塵埃除去動作」および「ブラシ清掃動作」時には、貯留量検出手段（70）によって塵埃貯留容器（60）における塵埃貯留量が検出される。つまり、発光ＬＥＤ（72）による光の光度がフォトトランジスタ（73）によって検出される。そして、フォトトランジスタ（73）の検出光度が設定値（下限値）以下になると、塵埃貯留容器（60）における塵埃量が所定量に達したとして、「塵埃搬送動作」に切り換えられる。
【０１６７】
「塵埃搬送動作」では、回転ブラシ（51）が図１１（Ａ）の状態で停止されると共に、エアフィルタ（30）が停止状態になる。また、ダンパボックス（81）のダンパ（82）が開状態（図１４（Ｂ）の状態）になる。この状態において、室内ファン（21）が駆動されることにより、室内ファン（21）の吹出空気は、導入用ダクト（86）およびダンパボックス（81）を介して塵埃貯留容器（60）内へ導入される。これにより、塵埃貯留容器（60）の塵埃が空気と共に搬送用ダクト（88）を介して塵埃捕集箱（90）内へ搬送される。そうすると、上記塵埃貯留容器（60）において塵埃の貯留量が減少し、フォトトランジスタ（73）の検出光度が高くなる。そして、その検出光度が設定値（上限値）以上になると、塵埃貯留容器（60）における塵埃が殆ど排出されたとして、「塵埃搬送動作」が終了する。その後、「塵埃除去動作」または「ブラシ清掃動作」が再開される。
【０１６８】
本実施形態のフィルタ清掃運転では、所定条件によって「塵埃排出動作」が行われる。すなわち、上記「塵埃搬送動作」でダンパ（82）を開いた後に、発光ＬＥＤ（72）を点灯させて、その光度を検出し、光度が所定値よりも低ければ、上記塵埃貯留容器（60）内の塵埃が室内ファン（21）の吹出空気によって搬送されていない、すなわち、塵埃貯留容器（60）から塵埃捕集箱（90）までの搬送路で塵埃が詰まっているか、若しくは該塵埃捕集箱（90）内に多量の塵埃が捕集されていると判断して、化粧パネル（11）のＬＥＤ（16）を点灯させてユーザーにその旨を報知し、リモコン操作等に応じて、以下のような「塵埃排出動作」を行う。なお、このような、ダンパ（82）の動きと連動させて上記発光ＬＥＤ（72）の光度を検出する動作（以下、満タン・詰まり検出動作ともいう）は、例えば１週間に１回など、定期的に行われる。
【０１６９】
「塵埃排出動作」では、上述した「塵埃搬送動作」と同様に、回転ブラシ（51）が図１１（Ａ）の状態で停止されると共に、エアフィルタ（30）が停止状態になる。また、ダンパボックス（81）のダンパ（82）が閉状態（図１４（Ｃ）の状態）になる。
【０１７０】
上述の状態において、ユーザーによって掃除機のノズルを化粧パネル（11）のノズル挿入部（110）に挿入した状態で、吸引動作を行う。この吸引動作により、塵埃捕集箱（90）内の塵埃が搬送用ダクト（88）、塵埃貯留容器（60）、ダンパボックス（81）、吸引用ダクト（87）及びノズル挿入部（110）を介して掃除機へ吸い込まれる。その際、塵埃貯留容器（60）内に残っていた塵埃も吸引用ダクト（87）を介して掃除機へ吸い込まれる。その結果、塵埃捕集箱（90）および塵埃貯留容器（60）の塵埃が室内ユニット（3）外へ排出される。
【０１７１】
なお、上述のような満タン・詰まり検出動作は、一旦、光度が所定値よりも小さいと判定された場合には、上記「塵埃排出動作」によって塵埃の詰まりが無くなり且つ塵埃捕集箱（90）内の塵埃が少なくなるまで、すなわち上記発光ＬＥＤ（72）の光度が所定値以上になる場合まで、所定間隔で定期的に行われ、該光度が所定値以上になった場合には、上記化粧パネル（11）のＬＥＤ（16）を消灯する。その後は、通常の満タン・詰まり検出動作を例えば１週間に１回、行う。
【０１７２】
−実施形態の効果−
以上より、この実施形態では、塵埃除去手段（50）及びダンパボックス（81）が、該ダンパボックス（81）と室内ファン（21）の吹出側とを連通させる導入用ダクト（86）の軸心（導入口86d）を中心として回動するように構成したため、エアフィルタ（30）に対して、上記塵埃除去手段（50）の位置を、塵埃除去位置と待機位置とに切り換えることが可能になる。これにより、メンテナンス時に上記塵埃除去手段（50）を取り外すことなく上記エアフィルタ（30）を取り外すことができ、メンテナンス作業の作業性の向上を図れる。
【０１７３】
また、上記ダンパボックス（81）と室内ファン（21）の吹出側とを連通させる導入用ダクト（86）を、ドレンパン（23）やベルマウス（24）、仕切板（25）に対して回動可能に構成することで、上述のような、塵埃除去手段（50）及びダンパボックス（81）を回動可能な構成を実現することができるとともに、上記導入用ダクト（86）内に室内ファン（21）の吹出空気を流して塵埃搬送手段（80）を構成することができる。具体的には、上記導入用ダクト（86）を上流側ダクト（86a）と下流側ダクト（86b）とによって構成し、該上流側ダクト（86a）をドレンパン（23）やベルマウス（24）と仕切板（25）との間に配置する一方、上記下流側ダクト（86b）を該仕切板（25）の下方に配置して、両者を該仕切板（25）の開口周縁部を挟み込むように連結することで、上記導入用ダクト（86）を仕切板（25）に対して回動可能な構成にすることができる。
【０１７４】
また、上記導入用ダクト（86）及び仕切板（25）において、上記塵埃除去手段（50）が塵埃除去位置にあるときには互いに上下に当接する一方、該塵埃除去手段（50）が待機位置にあるときには互いに当接しない位置に、それぞれ突出部（86i,25b）を設けたため、上記導入用ダクト（86）を回動させることにより、該導入用ダクト（86）及び塵埃除去手段（50）を上下動させることができる。したがって、上記塵埃除去手段（50）の待機位置が平面視で上記エアフィルタ（30）に重なるような位置であっても、上述の構成により、上記塵埃除去手段（50）を待機位置まで回動させることによって、該塵埃除去手段（50）を下降させて上記エアフィルタ（30）から下方に離間させることができるので、該エアフィルタ（30）を脱着する際に、該エアフィルタ（30）が上記塵埃除去手段（50）と干渉するのを防止することができる。
【０１７５】
また、駆動モータ（95）の回転を駆動ギヤ（96,97）を介して導入用ダクト（86）に伝えるようにしたため、手動ではなく、モータ（95）によって上記塵埃除去手段（50）を回動させることができる。さらに、上記塵埃除去手段（50）がエアフィルタ脱着時には待機位置に位置し、塵埃除去時には塵埃除去位置に位置するように、上記駆動モータ（95）を制御することで、エアフィルタ（30）の脱着を容易に行うことができる。しかも、通常運転時にも上記待機位置に位置付けることで、上記塵埃除去手段（50）が空気の流れを阻害するのを防止することができる。
【０１７６】
また、上記塵埃除去手段（50）における塵埃貯留容器（60）の除去部（61）に、フィルタ取付部（68）を設け、エアフィルタ（30）を仕切板（25）との間に挟み込んだ状態で、該フィルタ取付部（68）と仕切板（25）とを止めネジ（28a）で接続するようにしたため、該塵埃除去手段（50）及びエアフィルタ（30）をまとめて固定することができるとともに、その固定を解除すれば、該塵埃除去手段（50）を回動させて、エアフィルタ（30）を取り外すことが可能になる。
【０１７７】
さらに、上記フィルタ取付部（68）には、塵埃除去手段（50）の回動方向に延びるスリット部（68a）が形成されているため、上記仕切板（25）に塵埃除去手段（50）のフィルタ取付部（68）を係止するための止めネジ（28a）を外すことなく緩めることにより、該塵埃除去手段（50）を回動させれば、該塵埃除去手段（50）を平面視でエアフィルタ（30）と重なる位置から重ならない位置へ容易に移動させることができる。これにより、上記エアフィルタ（30）を取り外す際に、該エアフィルタ（30）が上記塵埃除去手段（50）と干渉するのを確実に防止することができる。
【０１７８】
しかも、上記エアフィルタ（30）の軸挿通部（33）の挿通孔（33a）の径は、上記止めネジ（28a）の頭部（28b）の径よりも大きいので、該止めネジ（28a）を仕切板（25）のフィルタ回転軸（28）に螺合させた状態で、上記エアフィルタ（30）を取り外すことができ、該エアフィルタ（30）を取り外す際の作業性の向上を図れる。
【０１７９】
《その他の実施形態》
上記実施形態は、以下のように構成してもよい。
【０１８０】
上記実施形態では、室内ユニット（3）を、本体ユニット（10）、掃除ユニット（100）及び化粧パネル（11）の３つに分割しているが、この限りではなく、一つのケーシング内に上記本体ユニット（10）及び掃除ユニット（100）の構成部品が配置され、その室内側を化粧パネル（11）で覆うようにしてもよい。
【０１８１】
また、上記実施形態では、エアフィルタ（30）から除去した塵埃を塵埃捕集箱（90）に捕集するようにしているが、この限りではなく、塵埃を捕集できるような構成であれば、例えば袋状のものなど、どのような構成であってもよい。
【０１８２】
また、上記実施形態では、上記塵埃捕集箱（90）を掃除ユニット（100）内に設けているが、この限りではなく、室内ユニット（3）とは別に設けるようにしてもよい。
【０１８３】
また、上記実施形態では、塵埃貯留容器（60）から上記塵埃捕集箱（90）に塵埃を搬送する手段として、室内ファン（21）の吹出空気を利用するようにしているが、この限りではなく、塵埃を搬送できる構成であれば、どのような構成であってもよいし、専用のファンを設けるようにしてもよい。
【０１８４】
また、上記実施形態では、エアフィルタ（30）は、円形状に形成されているが、この限りではなく、例えば矩形状に形成されていてもよい。この場合には、上記エアフィルタ（30）及び回転ブラシ（51）は直線的に相対移動する。そして、この場合でも、塵埃除去手段（50）及びダンパボックス（81）を回動可能に構成することで、上記エアフィルタ（30）を容易に取り外すことのできる位置まで該塵埃除去手段（50）及びダンパボックス（81）を容易に移動させることができる。
【０１８５】
さらに、上記実施形態では、上記導入用ダクト（86）及び仕切板（25）に、それぞれ、突出部（86i,25b）を設けて、該導入用ダクト（86）の回動によって該導入用ダクト（86）が仕切板（25）に対して上下動するように構成されているが、この限りではなく、上記導入用ダクト（86）の外周面上にネジ部を設ける構成や、仕切板（25）上に形成された穴部に対して、導入用ダクト（86）に設けられた突起が回転に応じて係合／非係合になる構成など、該導入用ダクト（86）を上下動させることができる構成であればどのような構成であってもよい。なお、当然のことながら、上記塵埃除去手段（50）の待機位置が、平面視でエアフィルタ（30）と重ならないような位置であれば、上述のように上記導入用ダクト（86）が上下動するような構成にする必要はない。
【産業上の利用可能性】
【０１８６】
以上説明したように、本発明は、室内ファンの吸込側にエアフィルタが設けられた空気調和装置の室内ユニットに特に有用である。
【図面の簡単な説明】
【０１８７】
【図１】図１は、本発明の実施形態に係る室内ユニットを備えた空気調和装置の構成を示す配管系統図である。
【図２】図２は、室内ユニット内の構成を示す縦断面図である。
【図３】図３は、室内ユニットを各ユニットに分解した状態を示す分解斜視図である。
【図４】図４は、図２におけるIV-IV線断面図である。
【図５】図５は、仕切板の通気孔、エアフィルタ及び塵埃貯留容器の構成を示す斜視図である。
【図６】図６は、エアフィルタの取付構造を示す断面図である。
【図７】図７は、フィルタ駆動手段の構成を示す斜視図である。
【図８】図８は、塵埃除去手段及び塵埃貯留容器を上方から見た斜視図である。
【図９】図９は、塵埃貯留容器を下方から見た斜視図である。
【図１０】図１０は、図８におけるX-X線断面図である。
【図１１】図１１は、図８におけるXI-XI線断面において、塵埃除去動作時及びブラシ清掃動作時の回転ブラシの動作を示す図である。
【図１２】図１２は、導入用ダクトの拡大断面図である。
【図１３】図１３は、図１２におけるXIII-XIII線断面図である。
【図１４】図１４は、塵埃搬送手段のダンパの動作を示す断面図である。
【図１５】図１５は、室内側から見た化粧パネルの一部分を切り欠いて示す部分断面図である。
【図１６】図１６は、ダンパボックスとノズル挿入部との接続関係を模式的に示す斜視図である。
【図１７】図１７は、ノズル挿入部とフレキシブルダクトの接続部を拡大して示す拡大断面図である。
【図１８】図１８は、本体ユニットと掃除ユニットとを組み合わせた状態を示す斜視図である。
【図１９】図１９は、掃除ユニット内から塵埃捕集箱を取り外した状態を示す斜視図である。
【図２０】図２０は、掃除ユニット内からエアフィルタ及びサービス蓋を取り外した状態を示す斜視図である。
【図２１】図２１は、塵埃除去手段の回動をモータによって行う場合の図１２相当図である。
【図２２】図２２は、塵埃除去手段の回動をモータによって行う場合の図４相当図である。
【符号の説明】
【０１８８】
1       空気調和装置
3       室内ユニット
10      本体ユニット
11      化粧パネル
18      本体ケーシング（ケーシング）
21      室内ファン（構成部品）
22      室内熱交換器
23      ドレンパン（通風仕切板）
24      ベルマウス（通風仕切板）
25      仕切板（吸込側仕切板）
25b     突出部
28      フィルタ回転軸（回転軸部）
28a     止めネジ（係止部材）
28b     頭部
28c     ネジ部
30      エアフィルタ
33      軸挿通部（中央部）
33a     挿通孔
50      塵埃除去手段
51      回転ブラシ（塵埃除去部）
52      清掃ブラシ（塵埃除去部）
60      塵埃貯留容器
61      除去部（塵埃除去部）
62      貯留部
68      フィルタ取付部
68a     スリット部
80      塵埃搬送手段
81      ダンパボックス（回動支持手段）
86      導入用ダクト（回動支持手段）
86a     上流側ダクト
86b     下流側ダクト
86i     突出部
88      搬送用ダクト（ダクト）
89      通風路
90      塵埃捕集箱（塵埃捕集手段）
95      駆動モータ（駆動手段）
100     掃除ユニット
101     チャンバケーシング（ケーシング）
【図１】
0004915355.tif 000002
【図２】
0004915355.tif 000003
【図３】
0004915355.tif 000004
【図４】
0004915355.tif 000005
【図５】
0004915355.tif 000006
【図６】
0004915355.tif 000007
【図７】
0004915355.tif 000008
【図８】
0004915355.tif 000009
【図９】
0004915355.tif 000010
【図１０】
0004915355.tif 000011
【図１１】
0004915355.tif 000012
【図１２】
0004915355.tif 000013
【図１３】
0004915355.tif 000014
【図１４】
0004915355.tif 000015
【図１５】
0004915355.tif 000016
【図１６】
0004915355.tif 000017
【図１７】
0004915355.tif 000018
【図１８】
0004915355.tif 000019
【図１９】
0004915355.tif 000020
【図２０】
0004915355.tif 000021
【図２１】
0004915355.tif 000022
【図２２】
0004915355.tif 000023